(57)【要約】【課題】不正行為を確実に発見して、結果として、不正行為の防止を適正に図る。【解決手段】遊技の進行制御を行うとともに遊技盤固有の遊技制御装置３０を備えた遊技機において、遊技制御装置は、電子部品が搭載された遊技制御基板３１０を、蓋部材３４０とベース部材３３０からなる基板ボックス３２０に収納して構成され、基板ボックスは、蓋部材とベース部材が重合されワンウェイネジ３６１により分離困難に固着される重合部３５１ｂ〜３５４ｂを有し、当該基板ボックスの開放を規制する第１〜第４開放規制部３５１〜３５４を備え、開放規制部に遊技制御装置の正当性を判断するための正当性判定情報を送信するＩＣタグ３７０が設けられ、ＩＣタグから正当性判定情報を読み取るＩＣタグ読取回路と、正当性判定情報の読取結果に基づいて、遊技制御装置３０の正当性を判断する正当性判断手段とを備えている。【選択図】図９
2008113812.tif 000002
【特許請求の範囲】
【請求項１】
遊技の進行制御を行うとともに遊技盤固有のメイン制御装置を備えた遊技機において、
前記メイン制御装置は、電子部品が搭載された基板を、蓋部材とベース部材からなる基板ボックスに収納して構成され、
前記基板ボックスは、前記蓋部材と前記ベース部材が重合され固着手段により分離困難に固着される重合部を有し、当該基板ボックスの開放を規制する開放規制部を備え、
前記開放規制部に前記メイン制御装置の正当性を判断するための正当性判定情報を送信するＩＣタグが設けられ、
前記ＩＣタグから前記正当性判定情報を読み取る読取手段と、
前記読取手段による前記正当性判定情報の読取結果に基づいて、前記メイン制御装置の正当性を判断する正当性判断手段とを備えることを特徴とする遊技機。
【請求項２】
前記開放規制部は、前記重合部を選択的に固着可能に複数設けられ、
前記複数の開放規制部の各々に、前記正当性判定情報として、各々異なる固有識別情報を記憶した前記ＩＣタグが設けられていることを特徴とする請求項１に記載の遊技機。
【請求項３】
前記開放規制部には、当該基板ボックスを開放する際に切断される切断部が形成され、
前記ＩＣタグは、前記切断部が切断されると当該ＩＣタグの機能が不能になるように構成されていることを特徴とする請求項１又は２に記載の遊技機。
【請求項４】
前記切断部に、前記ＩＣタグの通信部が設けられていることを特徴とする請求項３に記載の遊技機。
【請求項５】
前記メイン制御装置からの指令信号に基づいて、当該遊技機に備えられた電気部品の制御を行うサブ制御装置を備え、
前記サブ制御装置に、前記読取手段及び前記正当性判断手段が設けられていることを特徴とする請求項１〜４の何れか一項に記載の遊技機。
【請求項６】
前記サブ制御装置は、遊技盤が装着される前面枠側に配設される一方で、前記メイン制御装置は、前記遊技盤の裏面に配設されるように構成されていることを特徴とする請求項５に記載の遊技機。
【請求項７】
遊技盤固有の演出に関するデータを記憶する機能を有するデータ装置が、前記サブ制御装置とは別個に、前記遊技盤の裏面に配設され、
前記データ装置には、前記ＩＣタグの前記正当性判定情報としての固有識別情報を判断するための情報が記憶されていることを特徴とする請求項５又は６に記載の遊技機。
【請求項８】
前記遊技盤の本体部を透光性合成樹脂で構成すると共に、該遊技盤を着脱自在に装着する前面枠の裏面側に裏機構枠を設け、該裏機構枠における前記遊技盤の後方位置に画像表示ユニットを配設することで、当該遊技機前方から前記遊技盤を透かして画像表示を視認可能に構成され、
前記裏機構枠の下方部には、前後方向に貫通した開口部が形成され、
前記遊技盤の前記開口部に対応する箇所に、前記メイン制御装置が回動機構を介して配設され、
前記メイン制御装置は、前記遊技盤を前面枠に対して着脱する際に、該遊技盤と略平行な起立状態から、当該メイン制御装置が前記開口部に挿脱可能となる傾倒状態に、前記回動機構により変換可能に構成され、
前記裏機構枠の背面に、前記サブ制御装置が配設され、
前記遊技盤を前記前面枠に装着した後、前記メイン制御装置を前記起立状態に変換して固定すると、該メイン制御装置が前記裏機構枠の背面の前記サブ制御装置に重合するように構成されていることを特徴とする請求項５〜７の何れか一項に記載の遊技機。
【請求項９】
前記重合部が前記固着手段により固着されているか否かを検出する固着検出手段を備え、
前記ＩＣタグは、前記固着検出手段による検出結果に基づいて、前記重合部が固着されているか否かに係る固着情報を前記正当性判定情報として送信するように構成されていることを特徴とする請求項１〜８の何れか一項に記載の遊技機。
【発明の詳細な説明】
【技術分野】
【０００１】
本発明は、遊技の進行を制御する遊技制御装置を備える遊技機に関する。
【背景技術】
【０００２】
従来より、遊技機に搭載された遊技制御装置（メイン制御装置）は、各種の電子機器が搭載された遊技制御基板が制御基板ボックスに収納された構成となっている。
この制御基板ボックスは、平板状のベース部材と、凹室状の蓋部材とから構成され、ベース部材と蓋部材を重ねると遊技制御基板を収納できる空間部が形成されるようになっている。そして、蓋部材には、遊技制御基板上のコネクタ部を外部に露出できる開口部が形成され、遊技制御基板はコネクタ部のみを外部に露出した状態でボックス内に収納されることとなっている。
【０００３】
従って、内部に収納した遊技制御基板に対する不正な改竄を防止するためには、制御基板ボックスが容易に開放されないようにすればよいので、ベース部材と蓋部材を閉止した後、これを開放不能に封止する重合部を制御基板ボックスに複数設けておき、重合部を切断することでベース部材と蓋部材の固着部分を取り除かないと、制御基板ボックスを開放できないようにしていた。即ち、公的検査機関等による遊技機の検査に際しては、重合部を切断して制御基板ボックスを開放し、検査終了後には、未固着である他の重合部によってベース部材と蓋部材を固着するので、正規の検査以外で制御基板ボックスが開放されていれば、重合部の切断履歴から明確に知ることができるのである。
【０００４】
このように、制御基板ボックスに重合部を設けておけば、重合部の切断履歴から制御基板ボックスの不正な開放を把握することができるものの、遊技機の裏面側に取り付けられている遊技制御装置を検査等で確認するまで不正開放を見つけることができないので、制御基板ボックスにおける重合部が切断されたことを遊技制御装置で電気的に検出できるようにした遊技機が提案されている。（例えば、特許文献１参照）。
【特許文献１】特開平１１−４４７号公報
【発明の開示】
【発明が解決しようとする課題】
【０００５】
しかしながら、従来の遊技機の場合、単に重合部に金属片を設けて電気的な導通状態を監視することで重合部の状態を検出するものであることから、不正に制御基板ボックスを開放した後、切断された金属片の代わりのものを用意して元の状態に復元することは容易に行えるので、不正行為を防止するためには不十分であった。
また、不正に遊技制御装置自体が交換される虞があるが、当該不正行為に対しても、容易に元の状態に復元することができ、全く役に立たないといった問題もある。
【０００６】
そこで、本発明は上記した問題点に鑑みてなされたものであり、不正行為を確実に発見することができ、結果として、不正行為の防止を適正に図ることができる遊技機を提供することを目的とする。
【課題を解決するための手段】
【０００７】
以上の課題を解決するため、請求項１に記載の発明は、
遊技の進行制御を行うとともに遊技盤固有のメイン制御装置を備えた遊技機において、
前記メイン制御装置は、電子部品が搭載された基板を、蓋部材とベース部材からなる基板ボックスに収納して構成され、
前記基板ボックスは、前記蓋部材と前記ベース部材が重合され固着手段により分離困難に固着される重合部を有し、当該基板ボックスの開放を規制する開放規制部を備え、
前記開放規制部に前記メイン制御装置の正当性を判断するための正当性判定情報を送信するＩＣタグが設けられ、
前記ＩＣタグから前記正当性判定情報を読み取る読取手段と、
前記読取手段による前記正当性判定情報の読取結果に基づいて、前記メイン制御装置の正当性を判断する正当性判断手段とを備えることを特徴としている。
【０００８】
ここで、ベース部材と蓋部材は、例えば、基板の電子部品の搭載面に対面する表面板を有する部材と、基板の裏面（ハンダ面）に対面する裏面板を有する部材とが、重ね合わせられることで基板を収納する空間部を形成できるものであれば如何なるものであってもよく、例えば、平板状のベース部材に凹室の蓋部材を重ねるものや凹室状のベース部材の開口面を平板状の蓋部材を塞ぐものでもよい。なお、各部材は、例えば、透明な合成樹脂で構成されていることが望ましい。
また、固着手段により分離困難に固着とは、例えば、ワンウェイネジやリベット等の固着手段により固着することで、蓋部材側の重合部と蓋部材との連結部、或いはベース部材側の重合部とベース部材との連結部を破壊しない限り基板ボックスを開放できない固着のことを言う。
【０００９】
請求項１に記載の発明によれば、ＩＣタグからメイン制御装置の正当性を判断するための正当性判定情報の読取手段による読取結果に基づいて、メイン制御装置の正当性を適正に判断することができ、これにより、基板ボックスが不正に開放され、メイン制御装置に対する不正行為を確実かつ迅速に発見でき、不正行為の防止を図ることができる。
【００１０】
請求項２に記載の発明は、請求項１に記載の遊技機において、
前記開放規制部は、前記重合部を選択的に固着可能に複数設けられ、
前記複数の開放規制部の各々に、前記正当性判定情報として、各々異なる固有識別情報を記憶した前記ＩＣタグが設けられていることを特徴としている。
【００１１】
請求項２に記載の発明によれば、重合部を選択的に固着可能に基板ボックスに複数設けるとともに、各々に異なる固有識別情報を記憶したＩＣタグを設けたので、公的機関による検査にも何ら問題なく対応でき、また、検査後においても検査前と同様にメイン制御装置に対する監視を行うことができる。
【００１２】
請求項３に記載の発明は、請求項１又は２に記載の遊技機において、
前記開放規制部には、当該基板ボックスを開放する際に切断される切断部が形成され、
前記ＩＣタグは、前記切断部が切断されると当該ＩＣタグの機能が不能になるように構成されていることを特徴としている。
【００１３】
ここで、ＩＣタグの機能が不能とは、正常な通信ができなくなることであって、例えば、重合部の破壊により通信部が破壊される場合の他、ＩＣタグの本体が破壊されるもののことである。
【００１４】
請求項３に記載の発明によれば、開放規制部に、基板ボックスを開放する際に切断される切断部を形成し、当該切断部が切断された場合にはＩＣタグとの通信不良等により不正行為が行われたことを検出できることとなり、切断部の切断状態を確実に検出することができる。
【００１５】
請求項４に記載の発明は、請求項３に記載の遊技機において、
前記切断部に、前記ＩＣタグの通信部が設けられていることを特徴としている。
【００１６】
ここで、ＩＣタグは、例えば、サブ制御装置からの電磁誘導により電力供給を受けるタイプが望ましいが、電池内蔵のものでもよい。例えば、電力供給を受けるタイプの場合、通信部を電力供給部とすれば、切断部を切断することでＩＣタグの機能を確実に不能動化することにもなって、より効果的である。
【００１７】
請求項４に記載の発明によれば、切断部にＩＣタグの通信部を設けたので、切断部を切断によりＩＣタグとの通信不良を確実に実現でき、切断部の切断状態を確実に検出することができる。
【００１８】
請求項５に記載の発明は、請求項１〜４の何れか一項に記載の遊技機において、
前記メイン制御装置からの指令信号に基づいて、当該遊技機に備えられた電気部品の制御を行うサブ制御装置を備え、
前記サブ制御装置に、前記読取手段及び前記正当性判断手段が設けられていることを特徴としている。
【００１９】
ここで、電気部品としては、例えば、液晶表示器、装飾発光器（ＬＥＤ等）、スピーカ等が挙げられる。
【００２０】
請求項５に記載の発明によれば、サブ制御装置でＩＣタグから正当性判定情報を読み取って、メイン制御装置の正当性を確実に監視して判断することができる。
【００２１】
請求項６に記載の発明は、請求項５に記載の遊技機において、
前記サブ制御装置は、遊技盤が装着される前面枠側に配設される一方で、前記メイン制御装置は、前記遊技盤の裏面に配設されるように構成されていることを特徴としている。
【００２２】
請求項６に記載の発明によれば、サブ制御装置は、遊技盤が装着される前面枠側に配設される一方、メイン制御装置は、遊技盤の裏面に配設されるようにしたので、ＩＣタグの監視機能を前面枠側に残すことができ、遊技盤のみを交換する際に効率のよい構成とすることができる。
【００２３】
請求項７に記載の発明は、請求項５又は６に記載の遊技機において、
遊技盤固有の演出に関するデータを記憶する機能を有するデータ装置が、前記サブ制御装置とは別個に、前記遊技盤の裏面に配設され、
前記データ装置には、前記ＩＣタグの前記正当性判定情報としての固有識別情報を判断するための情報が記憶されていることを特徴としている。
【００２４】
ここで、遊技盤固有の演出に関するデータとしては、例えば、画像データ、音データ、発光パターンデータ等が挙げられる。
【００２５】
請求項７に記載の発明によれば、データ装置をサブ制御装置とは別個に設けるとともに、該データ装置を遊技盤裏面に配設し、データ装置にＩＣタグの固有識別情報を判断するための情報を記憶するようにしたので、サブ制御機能のうち、演算機能を有する部分を前面枠側に残すことができ、遊技盤交換時にはサブ制御装置全体を交換する必要がなくデータ装置のみを交換でき効率のよい構成とすることができる。
また、データ装置にＩＣタグの正当性を判断するための情報を記憶することができ、例えばデータ装置をメイン制御装置とともに設置した場合には、遊技盤の交換時に該情報の更新等が必要なくなって、遊技盤を交換するだけで新たなＩＣタグの監視システムを構築することができる。つまり、例えば、サブ制御装置に当該ＩＣタグの正当性を判断するための情報を記憶しておく場合に必要とされる遊技盤交換時における当該情報の更新作業が必要なくなる。
【００２６】
請求項８に記載の発明は、請求項５〜７の何れか一項に記載の遊技機において、
前記遊技盤の本体部を透光性合成樹脂で構成すると共に、該遊技盤を着脱自在に装着する前面枠の裏面側に裏機構枠を設け、該裏機構枠における前記遊技盤の後方位置に画像表示ユニットを配設することで、当該遊技機前方から前記遊技盤を透かして画像表示を視認可能に構成され、
前記裏機構枠の下方部には、前後方向に貫通した開口部が形成され、
前記遊技盤の前記開口部に対応する箇所に、前記メイン制御装置が回動機構を介して配設され、
前記メイン制御装置は、前記遊技盤を前面枠に対して着脱する際に、該遊技盤と略平行な起立状態から、当該メイン制御装置が前記開口部に挿脱可能となる傾倒状態に、前記回動機構により変換可能に構成され、
前記裏機構枠の背面に、前記サブ制御装置が配設され、
前記遊技盤を前記前面枠に装着した後、前記メイン制御装置を前記起立状態に変換して固定すると、該メイン制御装置が前記裏機構枠の背面の前記サブ制御装置に重合するように構成されていることを特徴としている。
【００２７】
請求項８に記載の発明によれば、遊技盤の本体部を透光性合成樹脂で構成すると共に、該遊技盤を着脱自在に装着する前面枠の裏面側に裏機構枠を設け、該裏機構枠における遊技盤の後方位置に画像表示ユニットを配設することで、遊技機前方から遊技盤を透かして画像表示を視認可能に構成し、前記裏機構枠の下方部には、前後方向に貫通した開口部を形成し、遊技盤は、開口部に対応する箇所に、メイン制御装置を回動機構を介して配設し、メイン制御装置は、遊技盤を前面枠に対して着脱する際に、遊技盤と略平行な起立状態から、当該メイン制御装置が開口部に挿脱可能となる傾倒状態に、回動機構により変換可能に構成され、裏機構枠の背面にサブ制御装置を配設し、遊技盤を前面枠に装着した後、メイン制御装置を起立状態に変換して固定すると、該メイン制御装置が裏機構枠背面のサブ制御装置に重合するように構成したので、画像表示ユニットを遊技盤交換時にも前面枠側に残すことができ、また、メイン制御装置をスペース的に限りのある遊技機裏面において効率よく設置することが可能となる。
さらに、メイン制御装置とサブ制御装置を近い位置に配置することが可能となるので、ＩＣタグの通信を効率よく行うことができる。また、ＩＣタグとの通信を極めて近い位置で行うように各制御装置の位置関係やメイン制御装置における重合部の位置を設定した場合には、通信の安定化の他、メイン制御装置が正規な位置にあるか否か正常に起立状態に変換しているかも監視することができる。
【００２８】
請求項９に記載の発明は、請求項１〜８の何れか一項に記載の遊技機において、
前記重合部が前記固着手段により固着されているか否かを検出する固着検出手段を備え、
前記ＩＣタグは、前記固着検出手段による検出結果に基づいて、前記重合部が固着されているか否かに係る固着情報を前記正当性判定情報として送信するように構成されていることを特徴としている。
【００２９】
請求項９に記載の発明によれば、固着検出手段の検出に基づき重合部が固着されているか否かを特定可能な固着情報を正当性判定情報として送信するようにしたので、重合部が正常に固着されているか否かを監視することができ、固着ミス等を発見できる。加えて、例えば、不正係員等により故意に重合部を固着しない不正行為、即ち、固着しなければ後でＩＣタグに係わる機能を破壊しないでも基板ボックスの開放を可能とさせる不正行為等も発見することができる。さらに、重合部を複数設けた場合には、どの重合部が現在の検査対象であるかを確実に特定することができ、固着している重合部が検査対象となる正規な重合部であるか否かを発見することもできる。
【発明の効果】
【００３０】
本発明によれば、メイン制御装置の正当性を判断するための正当性判定情報の読取手段による読取結果に基づいて、メイン制御装置の正当性を適正に判断することができ、これにより、基板ボックスが不正に開放され、メイン制御装置に対する不正行為を確実かつ迅速に発見でき、不正行為の防止を図ることができる。
【発明を実施するための最良の形態】
【００３１】
以下、この発明の実施形態について図面を参照して説明する。
ここでは、本発明にかかる遊技機の適例としてのパチンコ遊技機について図１〜図２０を用いて説明を行う。
【００３２】
本実施形態の遊技機１００は、例えば、図１〜図７に示すように、矩形枠状に構成された機枠１１０を備え、機枠１１０の前面側に、該機枠１１０に対して前方向へ扉状に回動可能に矩形枠状の前面枠１２０が軸着されている。
なお、矩形枠状の機枠１１０は、例えば、裏面側から見て左側の一辺が金属製とされ、その他の辺は木製となっている。これによって、裏面側から見て左側の一辺においては、強度を保ったまま厚みを薄くでき、後述するように大型の表示ユニット１７０を備える裏機構枠１６０の配設を可能としている。
【００３３】
前面枠１２０は、例えば、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７０を備える裏機構枠１６０とを有する。
【００３４】
前面枠本体１３０は、例えば、矩形枠状の機枠１１０の前面側をちょうど覆うように概略矩形板状に構成されるとともに、その中央から上端部に渡る部分に後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。即ち、遊技盤１は、前面枠本体１３０に嵌め込まれることで前面枠１２０に取り付けられている。
【００３５】
また、前面枠本体１３０の開口部１３１、即ち、前面枠本体１３０の中央より少し下側から上端部にわたる部分には、例えば、図１に示すように、前面枠本体１３０の前側を覆うようにクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁９に囲まれた部分が、遊技球が発射されて流下する第１遊技領域１ａとされている。
【００３６】
クリア部材保持枠１４０の一方の側部（遊技機１００の前面側から見て左側の側部）は、例えば、前面枠本体１３０の一方の側部に回動可能に軸支されて、扉状に開閉自在とされ、クリア部材保持枠１４０を開くことにより、遊技盤１の前面側の第１遊技領域１ａの前側を開放可能となっている。
また、クリア部材保持枠１４０には、例えば、前面枠本体１３０の開口部１３１をほぼ閉塞するように、該開口部１３１に嵌め込まれた遊技盤１との間に遊技球が流下可能な第１遊技領域１ａとなる間隔を開けて二重のガラス板１４１が固定されている。そして、クリア部材保持枠１４０において、遊技機１００の前側からガラス板１４１を介して遊技盤１の前面側の少なくとも第１遊技領域１ａの部分が視認可能となっている。また、クリア部材保持枠１４０の前面であって、ガラス板１４１が固定されて第１遊技領域１ａを視認可能とする部分の周囲には、例えば、枠装飾装置としてのランプやＬＥＤ、音声を出力するスピーカ５８，５８などが設けられている。
【００３７】
また、前面枠本体１３０に軸着されたクリア部材保持枠１４０の開放端側となる前面側から見て右側の端部の前面には、例えば、施錠装置の一部をなす鍵穴１４３が形成されている。
鍵穴１４３は、例えば、前面枠本体１３０の施錠装置の一部を構成するとともに、クリア部材保持枠１４０の施錠装置の一部を構成しており、当該鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００３８】
発射操作ユニット１５０は、例えば、左右側部のうちの一側部となる左側部が前面枠本体１３０に軸着されて、左右方向に回動して開閉自在な開閉パネル１５１と、その下の下部パネル１５２とからなる。
開閉パネル１５１は、例えば、排出された遊技球を貯留するとともに、遊技球を発射する発射装置（図示略）に遊技球を送る上皿１５３を有している。この上皿１５３の周囲には、遊技者が操作可能な演出用ボタン（図示略）が設けられている。
下部パネル１５２には、例えば、上皿１５３に収容しきれない遊技球を収容する下皿１５４及び灰皿１５５と、第１遊技領域１ａに向けての遊技球の発射操作を行うとともに、該第１遊技領域１ａに遊技球を発射する際の発射勢を調節するための操作ハンドル１５６や、スピーカ５８などが設けられている。
【００３９】
また、例えば、図３に示すように、前面枠本体１３０の裏面側であって、遊技盤１が嵌め込まれた開口部１３１の上端部から中央より少し下側にわたる部分には、前面枠本体１３０の裏面側を覆うように裏機構枠１６０が配置されている。
裏機構枠１６０の前面の左端部は、例えば、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。
なお、裏機構枠１６０と前面枠本体１３０の連結部分は着脱自在であって、前面枠本体１３０、裏機構枠１６０はそれぞれユニット単位で交換やメンテナンスが可能となっている。
【００４０】
また、例えば、図４に示すように、前面枠本体１３０の裏面側であって遊技盤１が嵌め込まれた開口部１３１の下方には、排出ユニット１９０による賞球の排出、発射装置による遊技球の発射を制御する排出発射制御装置３４、遊技機１００内の各装置に電力を供給する電源回路としての電源供給装置３７が取り付けられている。
【００４１】
なお、図示は省略するが、前面枠本体１３０には、例えば、各部材の取付位置に各部材を取り付けるための構造が設けられており、例えば、取り付けられた部材を囲むように補強用のリブが形成されていたり、ビス等による部材の取り付けのためのボス等が形成されている。
【００４２】
裏機構枠１６０は、例えば、図３〜図５に示すように、裏機構枠本体１６１と、画像を表示する画像表示装置としての表示ユニット１７０を案内するためのガイド部１６２とを有し、表示ユニット１７０の他、表示ユニット１７０を制御する第１演出制御装置３３と、賞球などを排出する排出装置１９０と、排出装置１９０に遊技球を供給する貯留タンク１９２等が設けられている。
【００４３】
また、裏機構枠１６０は、例えば、前面枠本体１３０の遊技盤１が嵌め込まれる開口部１３１を裏面側から覆って遊技盤１の裏面に臨む状態と、後方に扉状に回動して遊技盤１の裏面側を開放する状態との間で回動可能となっている。即ち、例えば、裏機構枠１６０に表示ユニット１７０が配設されることで、表示ユニット１７０は、該裏機構枠１６０を介して前面枠１２０側に配設された状態で遊技盤１の後方位置に配設されることとなる。そして、裏機構枠本体１６１において遊技盤１と平行に配され、遊技盤１の裏面側を覆うように配される部分が後面部１６１ａとなる。
【００４４】
裏機構枠本体１６１は、例えば、所定の厚みを有し、当該裏機構枠本体１６１の前後面に種々の機構体が取り付けられている。
即ち、裏機構枠本体１６１の前面には、例えば、表示ユニット１７０を前側に付勢する表示ユニット付勢手段をなす付勢部材としての圧縮コイルばね（図示略）を収納する後側が閉鎖された筒状の付勢部材収納部１８１，１８１（裏面側のみを図示）や、裏機構枠本体１６１を補強するための補強リブが形成されている。また、裏機構枠本体１６１の後面部１６１ａの背面には、例えば、第１演出制御装置配設部１６５や接続用凹部１８３、流路形成凹部１８４、排出装置配設凹部１８５などの前方に窪んで後方に開口した凹部が形成されており、裏機構枠本体１６１の前面の一部はこれら凹部の裏面によって形成されている。また、裏機構枠本体１６１の前面の周囲には、上下の一部を除いて前側に延出する周囲壁１８７が形成されており、裏機構枠本体１６１の前面側は全体が凹部となっている。
【００４５】
また、裏機構枠本体１６１の前側には、例えば、図３に示すように、それぞれコ字状のガイド部１６２，１６２が左右の側面を前側に延長するように取り付けられている。そして、後面部１６１ａ及び周囲壁１８７、ガイド部１６２，１６２によって、所定の奥行きを有するとともに前面側（遊技盤１の裏面に臨む側）に開口した略矩形凹室形状の空間（少なくとも背面と左右側面とを囲まれた空間）が形成され、当該空間が表示ユニット１７０を収納する表示ユニット収納部１６８となっている。
即ち、ガイド部１６２，１６２は、例えば、裏機構枠本体１６１における後面部１６１ａの左右端部の各々に設けられ、周囲壁１８７とともに表示ユニット収納部１６８の側面部をなしている。
【００４６】
表示ユニット収納部１６８には、例えば、画像表示面１７１が前側（開口した側）となるように表示ユニット１７０が配設されており、裏機構枠１６０を遊技盤１の裏面に臨むように配することで、遊技盤１の裏面側に表示ユニット１７０の画像表示面１７１が臨むようになっている。
【００４７】
表示ユニット１７０は、例えば、前面側が開口した矩形箱状（額縁状）に形成された金属製の表示ユニットケース１７４と、この表示ユニットケース１７４に収容された液晶表示パネル１７５（液晶表示器５５、バックライト５６を含む）とを有する。そして、表示ユニットケース１７４の前面側から液晶表示パネル１７５の画像表示面１７１を有する前面が露出している。
【００４８】
液晶表示パネル１７５は、例えば、矩形板状であって表示ユニットケース１７４にちょうど収まる大きさとなっている。また、液晶表示パネル１７５は、例えば、液晶表示器５５やバックライト５６などから構成され、液晶表示器５５の画像表示面１７１が、前側に臨むように配されている。
【００４９】
また、裏機構枠１６０の後面部１６１ａの背面（裏面）には、例えば、図４に示すように、前方に窪んで後方に開口した略矩形状の凹部である第１演出制御装置配設部１６５が形成され、当該第１演出制御装置配設部１６５に液晶表示器５５の表示を制御する第１演出制御装置３３が配設されている。
【００５０】
裏機構枠本体１６１の上面には、例えば、遊技機１００が設置される図示しない島設備に設けられた供給装置から供給される遊技球を一時貯留し、排出装置１９０に供給する貯留タンク１９２が取り付けられるようになっている。
【００５１】
貯留タンク１９２の底面は、例えば、裏機構枠本体１６１の後方に向かって下るとともに、裏機構枠本体１６１の裏面側から見て左方向に下る傾斜を有しており、この傾斜下流側に位置する貯留タンク１９２の底面には、貯留タンク１９２内の遊技球を外部に排出する排出口（図示略）が形成されている。
排出口は、例えば、後面部１６１ａの背面に位置しており、後面部１６１ａの背面に形成された流路形成凹部１８４には、この排出口に連通した導出流路を形成する導出流路形成部材１９５，１９６が取り付けられている。
導出流路は、例えば、排出口から排出された遊技球を裏機構枠１６０の右端部へ誘導するとともに、裏機構枠１６０の右端部においてさらに下方へ誘導するように形成されており、その下流側端部は、裏機構枠１６０の裏面に設けられた排出装置１９０に接続されている。また、貯留タンク１９２に隣設して、例えば、遊技機外部の装置（管理装置）と接続するための盤用外部出力端子が設けられている。
【００５２】
排出装置１９０は、例えば、裏機構枠本体１６１の裏面側から見た右端部における上下方向の略中央に形成された排出装置配設凹部１８５に取り付けられている。
また、排出装置１９０は、例えば、上部に導出流路に接続されて遊技球を受け入れる流入口を、下部に下部流路に接続されて遊技球を排出する排出口を備え、排出発射制御装置３４が遊技制御装置３０の制御の下で排出装置１９０を作動させることにより、所定数の遊技球を下部流路に排出するようになっている。
【００５３】
排出装置１９０の排出口に接続した下部流路は、例えば、裏機構枠１６０の裏面側から見て右端に沿って取り付けられた下部流路形成部材１９７によって形成され、排出装置１９０から排出された遊技球を下方に誘導するようになっている。
下部流路の下流側端部は、例えば、発射操作ユニット１５０の前面に形成された上皿１５３に連通され、排出装置１９０から排出された所定数の遊技球が上皿１５３排出されるようになっている。
なお、貯留タンク１９２の排出口から排出装置１９０に至る導出流路内には、常に遊技球が待機している状態となっており、排出装置１９０によって導出流路内の遊技球が排出されることに伴って貯留タンク１９２から流路に遊技球が流入するようになっている。
【００５４】
また、開口部１３１に嵌め込まれる遊技盤１は、例えば、遊技盤本体１ｂと、遊技盤本体１ｂの裏面側に配される遊技盤裏面構成部材８０とを備える。
遊技盤本体１ｂは、例えば、透明な合成樹脂（例えば、ポリカーボネートやアクリル）からなり、前面には、遊技領域区画壁９で囲まれた第１遊技領域１ａを有し、この第１遊技領域１ａ内に発射装置６０から遊技球（打球；遊技媒体）を発射して遊技を行うようになっている。
【００５５】
遊技盤本体１ｂの前面側には、例えば、第１遊技領域１ａを区画する遊技領域区画壁９を備える遊技領域区画部材８，８，…が取り付けられている。
遊技領域区画部材８，８，…は、例えば、所定の厚みを有し、遊技盤本体１ｂの前面の四隅に配されて第１遊技領域１ａを区画するものであって、遊技盤１の中心側に配される側面が第１遊技領域１ａを区画する遊技領域区画壁９をなしている。また、遊技領域区画部材８，８，…は、例えば、不透明な材質からなり、第１遊技領域１ａ以外から遊技機１００の内部が見えないようになっている。
【００５６】
さらに、遊技領域区画部材８，８，…には、例えば、遊技盤１を前面枠本体１３０に形成された開口部に対して着脱可能とする係合凹部８ｂ、固定凹部８ｃが形成されている。
即ち、前面側から見て左側の上下にある遊技領域区画部材８，８には、例えば、前面枠本体１３０に設けられた係合部材１３２，１３２が係合可能な係合凹部８ｂが形成され、一方、遊技盤１の前面側から見て右側の上下にある遊技領域区画部材８，８には、前面枠本体１３０に設けられた固定部が係合可能な固定凹部８ｃが形成されている。そして、前面枠本体１３０に形成された開口部に対して、例えば、前面側から係合凹部８ｂ，８ｂを係合部材１３２，１３２に係合させ、この係合部分を軸として他端部を後方に回動させて開口部に収容し、固定凹部８ｃ，８ｃに固定部１３３，１３３を係合させることで遊技盤１が前面枠本体１３０に固定されるようになっている。
【００５７】
遊技盤裏面構成部材８０は、例えば、遊技盤本体１ｂの周囲に沿う矩形状をしており、不透明又は半透明とされた合成樹脂（例えば、ポリカーボネートやＡＢＳ）からなる。また、遊技盤裏面構成部材８０における遊技盤本体１ｂの裏面に沿って配されるベース盤８１の略中央部には、例えば、遊技盤本体１ｂに形成された第１遊技領域１ａの大部分と重なるように略矩形状の視認開口８７が形成されている。
【００５８】
また、ベース盤８１の裏面側には、例えば、視認開口８７の左右及び下側に沿って後方に突出する表示領域区画壁８２が形成されており、また上側には、演出部材を備え、遊技盤装飾装置５４の一部をなす演出装置２５が配されており、これによって前後方向に沿った筒状の空間が形成されている。
この表示領域区画壁８２及び演出装置２５は、例えば、遊技盤１の後方に配される後述する表示ユニット１７０の画像表示面１７１に近接するように配される（当接はしない）ようになっており、特図変動表示ゲームに対応した表示ゲームなどの表示領域を区画するものである。即ち、表示ユニット１７０の画像表示面１７１のうち、視認開口８７の周縁に沿って形成された表示領域区画壁８２及び演出装置２５で囲まれた領域が遊技盤１の前面側から視認可能な表示領域（視認領域）となる。また、表示領域区画壁８２が遊技盤１と表示ユニット１７０との間の空間の側壁を構成する側部囲い壁をなす。これによって、第１遊技領域１ａの大部分に表示ユニット１７０の画像が表示されることとなる。また後述するように、この遊技盤本体１ｂの裏面側における表示領域区画壁８２及び演出装置２５で囲まれた領域の一部が、遊技球が流下可能な第２遊技領域２０とされている。
【００５９】
演出装置２５は、例えば、内部に演出部材と、この演出部材を駆動する駆動装置が設けられており、遊技の進行に合わせて演出部材を視認開口８７に現出させることで、遊技の演出を行うものである。
【００６０】
ベース盤８１の裏面には、例えば、左右の端部に隣接する位置に、後方へ突出する押圧部８３，８３，…が上下に形成されている。
押圧部８３，８３，…は、例えば、遊技盤１の裏面側に配される表示ユニット１７０の前面（表示ユニット１７０の外枠をなす表示ユニットケース１７４の前面）に、その後端部が当接するようになっている。この表示ユニット１７０は、例えば、表示ユニット付勢手段（圧縮コイルばね１８２）によって前側に付勢されているので、押圧部８３，８３，…と表示ユニット１７０は密着した状態で保持されるようになっている。
【００６１】
また、押圧部８３，８３，…は、例えば、ベース盤８１に形成された基部８３ａと、基部８３ａの後端部にねじによって取り付けられた摩擦係数が低い材質（例えば、ポリアセタール、金属）からなる押圧部材８３ｂとを有している。さらに、ベース盤８１の裏面側から見て右側に位置する押圧部８３，８３の基部８３ａには、例えば、押圧部材８３ｂに加え、上下方向に沿った軸を中心に回動可能なローラ８３ｃが、外側に位置する角部に取り付け可能とされている。
【００６２】
遊技盤本体１ｂの前面側に形成された第１遊技領域１ａ内には、例えば、遊技盤１の装飾や遊技球を流下案内する遊技装置として、普図始動ゲート６、始動入賞口１０及び普通変動入賞装置３、特別変動入賞装置４が設けられている。さらに、遊技装置として、例えば、一般入賞口形成部材１４，１４に設けられた一般入賞口２，２、風車と呼ばれる打球方向変換部材１１，１１、多数の遊技釘５００，…（図２にあっては、一部のみ図示）、流下方向規制装置７、入賞口などに入賞しなかった遊技球を回収するアウト口５、ランプ・ＬＥＤなどの遊技盤装飾装置５４（図１４参照）などが設けられている。さらに、遊技装置として、例えば、遊技盤本体１ｂの裏面側に設けられた第２遊技領域２０への導入口をなすワープ入口１２，１２、第２遊技領域２０からの導出口１３が設けられている。
【００６３】
普図始動ゲート６は、例えば、遊技球が上下に通過可能なゲートであり、その内部には遊技球の通過を検出するゲートセンサが設けられている。そして、該ゲートセンサで遊技球が検出されることに基づき普図変動表示ゲームの始動条件が成立するようになっている。また、普図変動表示ゲームは、遊技盤１の前面側に設けられた図示しない普図変動表示器にて表示されるようになっている。
さらに、遊技盤１の前面側には、例えば、未処理となっている第１普図変動表示ゲームの回数をＬＥＤの点滅で表示する図示しない普図始動記憶表示器が設けられている。
【００６４】
始動入賞口１０及び普通変動入賞装置３は、例えば、第１遊技領域１ａの下部にあって、その内部には遊技球の流入を検出する始動口センサ５０（図１４参照）が設けられている。即ち、始動入賞口１０及び普通変動入賞装置３は、例えば、特図始動入賞口であって、始動口センサ５０で遊技球が検出されることに基づき特図変動表示ゲームの始動条件が成立するようになっている。この特図変動表示ゲームは、遊技盤１の前面側に設けられた図示しない特図変動表示器にて表示されるようになっている。また、遊技盤１の前面側には、例えば、未処理となっている特図変動表示ゲームの回数をＬＥＤの点滅で表示する図示しない特図始動記憶表示器が設けられている。
【００６５】
普通変動入賞装置３は、例えば、左右一対の開閉部材３ａ，３ａを具備し、始動入賞口１０の下部に配設され、この開閉部材３ａ，３ａは、常時は遊技球が流入不能な閉じた状態（遊技者にとって不利な状態）を保持しているが、普図変動表示ゲームの結果が所定の停止表示態様（例えば、「７」）となった場合には、普図の当たりとなって、普通変動入賞装置３の開閉部材３ａ，３ａが所定時間（例えば、０.５秒間）逆「ハ」の字状に開いて普通変動入賞装置３に遊技球が流入し易い状態（遊技者にとって有利な状態）に変化するようになっている。これにより、特図変動表示ゲームの始動が容易となる。
【００６６】
また、特図変動表示ゲームは、例えば、第１遊技領域１ａ内に設けられた特図変動表示器で実行されるが、ここで実行される特図変動表示ゲームに対応する表示ゲームが表示ユニット１７０の画像表示面１７１に表示されるようになっている。この特図変動表示ゲームに対応した表示ゲームの表示領域は、例えば、遊技盤裏面構成部材８０に形成された表示領域区画壁８２によって区画された領域であって、透明な材質からなる遊技盤本体１ｂを通して、その裏面側に配された表示ユニット１７０の画像表示面１７１を視認可能な領域となっている。
なお、遊技機１００に特図変動表示器を備えずに、例えば、表示ユニット１７０のみで特図変動表示ゲームを実行するようにしても良い。そして、特図変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面１７１における表示ゲームの表示態様も特別結果態様（例えば、「７，７，７」等のゾロ目数字の何れか）となる。
【００６７】
特別変動入賞装置４は、例えば、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。
なお、開閉扉４ａは、ソレノイド（大入賞口ＳＯＬ５３、図１４参照）により駆動される。また、大入賞口の内部（入賞領域）には、該大入賞口に入った遊技球を検出するための大入賞口用センサ（カウントセンサ５１、図１４参照）が配設されている。
【００６８】
一般入賞口形成部材１４，１４は、例えば、第１遊技領域１ａの下部に位置する遊技領域区画壁９に沿って配されており、前面側には一般入賞口２，２が形成されている。
一般入賞口２，２には、例えば、当該一般入賞口２，２に入った遊技球を検出するための一般入賞口センサ５２（図１４参照）が配設されている。
また、一般入賞口形成部材１４，１４は、例えば、遊技に関連した装飾が施されて不透明となっているとともにＬＥＤなどを備えており、遊技盤１の装飾を行う遊技盤装飾装置５４の一部をなしている。
【００６９】
そして、遊技を開始することにより第１遊技領域１ａ内に打ち込まれた遊技球が、一般入賞口２，２、特図始動入賞口（始動入賞口１０、普通変動入賞装置３）、大入賞口（特別変動入賞装置４）等の入賞口の何れかに入賞すると、それぞれの入賞口に対応した所定数の賞球としての遊技球が後述の排出発射制御装置（排出発射制御基板）３４の制御により排出装置１９０によって貯留皿に排出される（払い出される）ようになっている。
【００７０】
また、流下方向規制装置７は、例えば、第１遊技領域１ａとなる遊技盤本体１ｂの前面に突出するように取り付けられている。
流下方向規制装置７は、例えば、透光性を有する材質からなる部材で、鎧部７ａとその両端に接続した案内部７ｂ，７ｂとから略コ字状に形成されていて、コ字状の開口部分が下側を向くように第１遊技領域１ａの中央部に配され、第１遊技領域１ａの中央部分を区画するようになっている。これによって、第１遊技領域１ａに発射されて流下する遊技球が第１遊技領域１ａの左右に振り分けられ、第１遊技領域１ａの中央部分における画像表示面１７１の視認性が保たれるようになっている。
【００７１】
鎧部７ａは、例えば、第１遊技領域１ａの中央部分に対して上側に配されて上方に突出するような円弧状をしており、その上面が中央から左右に下るような傾斜面とされている。このように上面が円弧状となっていることで、第１遊技領域１ａの上方に発射され、流下する遊技球を傾斜に沿って左右に振り分けることができるようになっている。
【００７２】
案内部７ｂ，７ｂは、例えば、鎧部７ａの端部に連続して形成され、第１遊技領域１ａの中央部分に対して左右に配されて下方に向かって延在するようになっている。また、案内部７ｂ，７ｂは、例えば、鎧部７ａで左右に振り分けられた遊技球が中央部分へ戻らないように下方へ案内するものである。さらに、案内部７ｂ，７ｂの下端部は、例えば、ワープ流路２４ａ，２４ａへの入口となるワープ入口１２，１２が、流下方向規制装置７の外側（案内部７ｂと、対向する遊技領域区画壁９との間）を流下する遊技球を受け入れ可能に形成されている。また、遊技盤本体１ｂにおけるワープ入口１２，１２が配される部分には、例えば、前後に貫通したワープ孔が形成され、ワープ入口１２，１２から流入した遊技球を、遊技盤本体１ｂの裏面側に形成された後述する第２遊技領域２０へ誘導可能とされている。
【００７３】
遊技盤本体１ｂの裏面側における表示領域区画壁８２で囲まれた領域内には、例えば、遊技装置としてのステージ部材２１が配されている。
ステージ部材２１は、例えば、透光性を有する材質からなる板状の部材であって、より具体的には、左右両側が中央に向かって下る傾斜面となっているとともに、中央部が上向きに突出した略Ｗ字状に形成されている。また、ステージ部材２１は、例えば、左右の端部は表示領域区画壁８２の内周面と近接して配され、後端部は表示領域区画壁８２の後端部と等しい前後位置に配されている。
【００７４】
遊技盤本体１ｂの裏面におけるワープ入口１２，１２と対応する位置には、例えば、遊技装置としての遊技球流路形成部材をなすワープ流路形成部材２４，２４が配されている（図５参照）。
ワープ流路形成部材２４，２４は、例えば、透光性を有する材質からなる部材で、ワープ入口１２，１２に流入してワープ孔を通って遊技盤本体１ｂの裏面に至った遊技球を、ステージ２１ａ上に誘導するワープ流路２４ａを備える。
ワープ流路２４ａは、例えば、遊技球を一列で流下可能な筒状の流路であって、その入口となる上流側端部は遊技盤本体１ｂに形成されたワープ孔に接続しており、ここから遊技盤本体１ｂの裏面に沿って遊技盤本体１ｂの側端方向へ屈曲し、出口となる下流側端部はステージ２１ａの側端部の上方に近接した位置に配されるようになっている。これによって、第１遊技領域１ａに開口したワープ入口１２に流入した遊技球は、ワープ流路２４ａを通って第２遊技領域２０におけるステージ部材２１の上面に形成されたステージ２１ａに誘導されることとなる。
【００７５】
ステージ２１ａには、例えば、上述したワープ流路２４ａを流下した遊技球が誘導されるようになっており、ステージ２１ａに誘導された遊技球は、略Ｗ字状の傾斜に沿って左右に転動するようになっている。
【００７６】
ステージ部材２１の中央部は、例えば、遊技盤本体１ｂに形成された導出口１３の後方に位置するように形成されており、ステージ２１ａは、導出口形成部材２３によって形成された導出口１３の底面に連続するようになっている。これによって、ステージ２１ａ上を転動する遊技球は前側へ誘導され、導出口１３から第１遊技領域１ａへ導出されることとなる。
【００７７】
また、ステージの左右方向の中央であって、遊技球が転動する面の下側には、例えば、遊技球が流下可能な流路である球誘導路２２の後方部分が形成されている。
球誘導路２２は、例えば、前後方向に沿って延在するように形成された遊技球が一個流下可能な内径を有する筒状の流路で、前側に向かって下るように傾斜している。この球誘導路２２の下流側端部はステージ部材２１の前端部に開口しており、導出口形成部材２３に形成された球誘導路２２の前方部分に接続するようになっている。
【００７８】
第１遊技領域１ａにおける始動入賞口１０の上側には、例えば、第２遊技領域２０からの導出口１３が形成されている。
導出口１３は、例えば、遊技盤本体１ｂに形成された前後に貫通した導出孔に導出口形成部材２３を取り付けることで構成されている。導出口形成部材２３は、例えば、遊技盤本体１ｂと略同じ厚みを有し、導出孔に嵌め込まれる部分に導出口１３を形成する筒状の開口２３ａが形成されている。筒状の開口２３ａの内周面における下側の面（導出口１３の底面）は、例えば、後方に配されるステージ２１ａの形状に合わせた曲面とされているとともに前側に傾斜するようにされており、ステージ２１ａから前側に誘導された遊技球を第１遊技領域１ａに誘導可能とされている。また、筒状の開口２３ａの下側の面の下方には、例えば、ステージ２１ａの下方に前後方向に沿って延在するように形成された球誘導路２２の後方部分と連通する球誘導路２２の前方部分が形成され、これらによって、前後方向に延在する球誘導路２２が形成される。
【００７９】
遊技盤裏面構成部材８０の裏面側であって、例えば、視認開口８７の下側には、取付ベース８５が設けられている。
取付ベース８５には、例えば、始動入賞口１０、普通変動入賞装置３、特別変動入賞装置４、一般入賞口２，２などに入賞した遊技球を流下させる入賞球流路が設けられている。入賞球流路は、例えば、遊技機１００の外部（島設備の回収樋）に連通する図示しない流路に接続するようになっている。
また、取付ベース８５の裏面側から見て左側の端部は、例えば、上下方向に沿って延在する回動軸８６，８６が形成されており、第２演出制御装置３１が左右方向に扉状に回動可能に軸支されるようになっている。
【００８０】
第２演出制御装置３１は、例えば、画像データなどを記憶したＲＯＭを備える演出データ基板３２と、遊技盤装飾装置を駆動するための盤装飾ドライバ３５ａを備えたドライバ基板３５を備え、遊技制御装置３０の制御の下で演出の制御を行うものである。
また、第２演出制御装置３１は、例えば、取付ベース８５に対して回動可能に軸支されるように、遊技盤裏面構成部材の下部であって裏面側から見て左側の端部に、取付ベース８５の裏面側に形成された回動軸８６，８６が挿入される貫通穴を有する軸受部７１ｃ，７１ｃが形成されている。
【００８１】
また、第２演出制御装置３１の裏面の左上部には、例えば、第１演出制御装置３３の下端部を収容可能となるように、前方側に窪んだ第１演出制御装置収容凹部（図示略）が設けられている。さらに、第２演出制御装置３１の裏面の略中央部には、左右方向に沿って延在する回動軸７１ｄ，７１ｄを備える一対の支持部７１ｅ，７１ｅが形成され、遊技制御装置３０が上下方向に扉状に回動可能に軸支されるようになっている。
【００８２】
遊技制御装置３０は、例えば、第２演出制御装置３１の裏面側に配設されている。この遊技制御装置３０は、例えば、ＣＰＵなどが備えられた遊技制御基板３１０が基板ボックス３２０に収納されたものである（詳細後述）。
【００８３】
基板ボックス３２０には、例えば、遊技制御基板３１０に設けられたコネクタ部３０ｅ，３０ｅ，…を外部に露出させるためのコネクタ挿通孔３４１が形成されており、遊技制御装置３０を他の装置と接続できるようになっている。
基板ボックス３２０の下部には、例えば、第２演出制御装置３１の裏面に形成された支持部７１ｅの回動軸７１ｄを挿通可能な挿通穴９０ａを備える回動軸受９０，９０が形成されている。これにより、遊技制御装置３０は、例えば、第２演出制御装置３１に対して回動可能に配される。即ち、支持部７１ｅ，７１ｅ並びに回動軸受９０，９０が、遊技制御装置３０を第２演出制御装置３１の裏面に沿って遊技盤１と略平行な起立状態（図４及び図６参照）から、保持板７１ｆに支持されて水平な状態となって、裏機構枠１６０に前後方向に貫通して形成された開口部１６３（図３参照）に挿脱可能となる傾倒状態（図７参照）に変換可能とする回動機構を構成している。
【００８４】
なお、遊技制御装置３０の起立状態は、例えば、支持部７１ｅ，７１ｅの近傍の保持部材や重合する第１演出制御装置３３に配設される保持部材（図示略）により保持固定されるようになっており、かかる状態で、遊技制御装置３０と第１演出制御装置３３が重合するようになっている。即ち、第１演出制御装置３３の背面部下側には、例えば、遊技制御装置３０の厚みの分だけ薄く形成された遊技制御装置配設部３３１が設けられ（図７参照）、遊技制御装置３０を傾倒状態から起立状態に変換することで、当該遊技制御装置３０が遊技制御装置配設部３３１に配置されて第１演出制御装置３３と重合することとなる。
【００８５】
次に、遊技制御装置３０の詳細な構造について、図８〜図１３を参照して説明する。
遊技制御装置３０は、例えば、図８及び図９に示すように、遊技機１００の動作に関わる制御を実行するための各種電子・電気部品とコネクタを実装した略四角形状の遊技制御基板３１０を、合成樹脂製のベース部材３３０と蓋部材３４０よりなる基板ボックス３２０に収納したものである。
【００８６】
基板ボックス３２０は、例えば、遊技制御基板３１０の一方の面（例えば、コネクタが実装されていない面）を収容した状態で固定するベース部材３３０と、該ベース部材３３０の開口面を塞ぐとともに、遊技制御基板３１０のコネクタ部３０ｅ，…を挿通させるコネクタ挿通孔３４１…を備える蓋部材３４０とから構成する。
なお、蓋部材３４０は、遊技制御基板３１０に実装された各種の電子・電気部品を収容できる収容空部が形成されるように、ベース部材３３０に比べて膨出量が大きいものである。
【００８７】
また、蓋部材３４０をベース部材３３０に対して係脱可能に取り付けられるよう、蓋部材３４０に相対向する二側縁（図３及び図４においては、上縁と下縁）から突出する係合片３４２を適宜設けるとともに、ベース部材３３０の対応する二側縁（図３及び図４においては、上縁と下縁）には係合受け部３００ａを設け、係合受け部３００ａに係合片３４２を係合させることで蓋部材３４０とベース部材３３０が組み合わされる。
また、係合受け部３００ａと係合片３４２の係合状態は、蓋部材３４０に設けられた係止操作片３４３の係止部がベース部材３３０に設けた係止突起３３２に係止されることで、解除されないようになっている。
【００８８】
ベース部材３３０に蓋部材３４０を適正に組み合わせた状態である基板ボックス３２０の開放規制部形成壁３２０ａ（ベース部材３３０の開放規制部形成壁３３０ａと蓋部材３４０の開放規制部形成壁３４０ａからなり、図８及び図９においては右側壁）には、例えば、当該基板ボックス３２０の開放を規制する第１〜第４開放規制部３５１〜３５４が設けられている。
第１〜第４開放規制部３５１〜３５４は、例えば、ベース部材３３０の第１〜第４ベース側開放規制部３０１〜３０４と蓋部材３４０の第１〜第４蓋側開放規制部４０１〜４０４が相互に重なり合うことで形成され、開放規制部形成壁３２０ａから突出する切断部３５１ａ〜３５４ａと、各切断部３５１ａ〜３５４ａの延出端側に設けた重合部３５ｌｂ〜３５４ｂ等を夫々備えている。
【００８９】
切断部３５１ａ〜３５４ａは、例えば、ニッパー等の切断具によって比較的容易に切断できる部位であり、蓋部材３４０の第１〜第４蓋側開放規制部４０１〜４０４における各蓋側切断部４０１ａ〜４０４ａとベース部材３３０の第１〜第４ベース側開放規制部３０１〜３０４における各ベース側切断部３０１ａ〜３０４ａとが相互に重なり合うことで形成されている。
【００９０】
重合部３５ｌｂ〜３５４ｂは、例えば、ベース部材３３０と蓋部材３４０に連通する固着孔を有するもので、締め付けると緩めることができないワンウェイネジ３６１で締め付けられる。また、重合部３５１ｂ〜３５４ｂは、蓋部材３４０の第１〜第４蓋側開放規制部４０１〜４０４における各蓋側重合部４０１ｂ〜４０４ｂとベース部材３３０の第１〜第４ベース側開放規制部３０１〜３０４における各ベース側重合部３０１ｂ〜３０４ｂとが相互に重なり合うことで形成され、ベース部材３３０に蓋部材３４０を適正に係合させた状態においては、蓋側重合部４０１ｂ〜４０４ｂに各々設けた固着孔４０１ｃ〜４０４ｃとベース側重合部３０１ｂ〜３０４ｂに各々設けた有底の固着穴３０１ｃ〜３０４ｃが連通し、重合部３５１ｂ〜３５４ｂにおける固着孔となる。
なお、ベース側重合部３０１ｂ〜３０４ｂは、例えば、隣合うものどうしが連結部ｂ１により連結されるとともに、外側のベース側重合部３０１ｂ、３０４ｂは接続部ｂ２により開放規制部形成壁３３０ａに接続されている。
【００９１】
そして、第１〜第４開放規制部３５１〜３５４の重合部３５１ｂ〜３５４ｂの何れかにおける固着孔をワンウェイネジ３６１で締め付けると、ワンウェイネジ３６１を重合部３５１ｂ〜３５４ｂから外せないために、蓋部材３４０とベース部材３３０を分離することができなくなる。
ここで、蓋部材３４０とベース部材３３０を分離するためには、ワンウェイネジ３６１で固着した第１〜第４開放規制部３５１〜３５４の切断部３５１ａ〜３５４ａを切断し、開放規制部形成壁３２０ａから重合部３５１ｂ〜３５４ｂを取り除かなければならないので、基板ボックス３２０を開放することは困難となる。しかも、第１〜第４開放規制部３５１〜３５４における切断部３５１ａ〜３５４ａの切断状況から、ワンウェイネジ３６１を用いて固着された後に開放された履歴を確認できる。
【００９２】
なお、遊技機１００は、遊技制御装置３０を封止するために第１開放規制部３５１が用いられ、ワンウェイネジ３６１を重合部３５１ｂの固着孔へ締め付けた上で、当該重合部３５１ｂの開口端を封止蓋３６２により封止（例えば、超音波溶着により隙間無く接着）し、第２〜第４重合部３５２ｂ〜３５４ｂは、蓋部材３４０の第２〜第４蓋側開放規制部４０２〜４０４の各固着孔４０２ｃ〜４０４ｃに各々ワンウェイネジ３６１を浅く締め付けた状態（図８参照）で遊技機１００が各遊技店等へ出荷される。
【００９３】
そして、本実施形態に係る遊技機１００の遊技制御装置３０においては、例えば、第１〜第４開放規制部３５１〜３５４に各々ＩＣタグ３７０を配するものとし、ＩＣタグ３７０によって、第１〜第４開放規制部３５１〜３５４の切断・未切断の情報に加えて固着・未固着の情報を取得できるようになっている。
【００９４】
ＩＣタグ３７０は、例えば、図１０に示すように、ＩＣ３７１とアンテナ３７２を表面フイルム３７３ａと裏面フイルム３７３ｂとで封着した構造で、ＩＣタグ読取回路３３ｋ（後述）から送信された電波で動作用電源を生成し、ＩＣタグ読取回路３３ｋへ適宜な情報（例えば、固有識別情報）を送信する標準的なＩＣタグ３７０の機能を有している。これに加えて、本構成例に係るＩＣタグ３７０は、固着状態検知用の第１固着検知線３７４ａと第２固着検知線３７４ｂを有するものであるが、これについては後に詳述する。
【００９５】
また、ＩＣタグ３７０は、例えば、ベース部材３３０の第１〜第４ベース側開放規制部３０１〜３０４における蓋部材３４０との重合面（図９においては紙面手前側の面）に形成された浅い窪み状のＩＣタグ配設凹部３０１ｄ〜３０４ｄに配置されるようになっている。
即ち、ＩＣタグ３７０は、例えば、ＩＣタグ配設凹部３０１ｄ〜３０４ｄの凹部形状に適合するように、ベース側切断部３０１ａ〜３０４ａに対応する部位は狭い幅で長尺な切断部配置領域３７０ａとしてアンテナ３７２が配置され、ベース側重合部３０１ｂ〜３０４ｂに対応する部位は略円形状の重合部配置領域３７０ｂとしてＩＣ３７１と第１，第２固着検知線３７４ａ，３７４ｂが配置される。
加えて、図１１に示すように、ベース部材３３０における第１〜第４ベース側開放規制部３０１〜３０４のＩＣタグ配設凹部３０１ｄ〜３０４ｄは、例えば、開放規制部形成壁３３０ａよりも内側へ食い込むように形成され、ベース側切断部３０１ａ〜３０４ａの全領域に亘ってアンテナ３７２が存する配置構造とされている。
【００９６】
このように、切断部配置領域３７０ａにアンテナ３７２を配置しておけば、切断部３５１ａ〜３５４ａが切断される際には、アンテナ３７２も切断されることとなり、ＩＣタグ読取回路３３ｋから動作用電源を受けることができなくなるので、ＩＣタグ３７０としての機能を失った破壊状態となる。
なお、切断部配置領域３７０ａにＩＣ３７１を配置しておき、ＩＣ３７１が破壊されることでＩＣタグ３７０としての機能を失うようにしても良い。何れにしても、第１〜第４開放規制部３５１〜３５４の切断部３５１ａ〜３５４ａが切断されたときには、ＩＣタグ３７０を応答不能にすることで、第１〜第４開放規制部３５１〜３５４の切断・未切断の情報を得ることが可能となる。
【００９７】
また、ＩＣタグ３７０は、裏面フイルム３７３ｂの接着面に塗布した接着剤でＩＣタグ配設凹部３０１ｄ〜３０４ｄの適正位置へ接着するものとし、無理にＩＣタグ３７０を剥がし取ろうとすると、アンテナ３７２が途中で切断されたり、ＩＣ３７１とアンテナ３７２との接続が断たれる等して動作機能が破壊されるようにしておけば、ＩＣタグ配設凹部３０１ｄ〜３０４ｄからＩＣタグ３７０を剥がして、切断した切断部が切断されていないという情報を送信させたり、固着してない重合部が固着されているという情報を送信させたりする不正を防止できる。
【００９８】
さらに、重合部配置領域３７０ｂには、ベース側重合部３０１ｂ〜３０４ｂの固着穴３０１ｃ〜３０４ｃの開口形状に適合するネジ挿通孔３７５を設け、このネジ挿通孔３７５の開口内へ第１固着検知線３７４ａの一端部である導通検知端部３７４１と第２固着検知線３７４ｂの一端部である導通検知端部３７４２が若干突出するように配置するとともに、第１固着検知線３７４ａの他端部であるＩＣ接続部３７４３と第２固着検知線３７４ｂの他端部であるＩＣ接続部３７４４をＩＣ３７１へ接続し、第１固着検知線３７４ａと第２固着検知線３７４ｂが導通した状態か非導通の状態かをＩＣ３７１で検知できるようにしてある。
【００９９】
即ち、第１〜第４開放規制部３５１〜３５４を固着するための固着手段として用いるワンウェイネジ３６１を鉄等の導電性素材により形成しておくとともに、第１固着検知線３７４ａの導通検知端部３７４１と第２固着検知線３７４ｂの導通検知端部３７４２がワンウェイネジ３６１と接触し得るように配置しておくことで、固着手段により重合部が固着されているか否かを検出する固着検出手段として機能し、第１固着検知線３７４ａと第２固着検知線３７４ｂが導通であれば固着状態と判定でき、第１固着検知線３７４ａと第２固着検知線３７４ｂが非導通であれば未固着と判定できる。
【０１００】
ここで、例えば、第１開放規制部３５１の切断部３５１ａを切断して基板ボックス３２０を開放して遊技制御基板３１０の検査を行った後、第２開放規制部３５２により固着する場合を図１２（ａ）及び図１２（ｂ）に基づき説明する。
例えば、図１２（ａ）のように、蓋部材３４０の係合片３４２をベース部材３３０の係合受け部３００ａに挿入して係合した状態で、第２蓋側開放規制部４０２の固着孔４０２ｃに浅く螺合させたワンウェイネジ３６１を第２ベース側開放規制部３０２の固着穴３０２ｃへ締め付け可能な位置になるので、図１２（ｂ）のようにワンウェイネジ３６１を最奥部まで締め付けることで、第２開放規制部３５２の固着が完了する。
なお、第１〜第４ベース側開放規制部３０１〜３０４の固着穴３０１ｃ〜３０４ｃを有底としたのは不正防止のためである。
【０１０１】
上記のようにして、ワンウェイネジ３６１を第２ベース側開放規制部３０２の固着穴３０２ｃに締め付けると、ＩＣタグ配設凹部３０２ｄに配置したＩＣタグ３７０のネジ挿通孔３７５を貫通したワンウェイネジ３６１を介して第１固着検知線３７４ａの導通検知端部３７４１と第２固着検知線３７４ｂの導通検知端部３７４２が導通することとなる。
【０１０２】
なお、第１〜第４開放規制部３５１〜３５４として、重合部及び切断部の両方の部分でベース部材３３０と蓋部材３４０が重なり合わされた構造のものを例示したが、これに限られるものではなく、少なくとも重合部が重なり合っていれば良い。即ち、例えば、図１３に示すように、蓋部材３４０にのみ切断部（蓋側切断部）４０２ａが設けられ、当該切断部４０２ａ及び蓋側重合部４０２ｂのベース部材３３０側の面（例えば、図１３における下面）にＩＣタグ３７０が貼設されている。つまり、ベース側開放規制部１３０２は、ベース側重合部３０２ｂが図示しない連結部及び接続部により接続されてベース側開放規制部形成壁に設けられている。
そして、蓋部材３４０とベース部材３３０が組み合わされることによって、アンテナ３７２の先端側部分が蓋側開放規制部形成壁３３０ａとベース側開放規制部形成壁３４０ａにより挟持されるとともに、ＩＣ３７１よりもアンテナ３７２と反対側部分が蓋側重合部４０２ｂとベース側重合部３０２ｂにより挟持された状態となり、ワンウェイネジ３６１が最奥部まで締め付けることで、開放規制部１３０２の固着が完了した状態となる。
【０１０３】
また、第１〜第４開放規制部３５１〜３５４を遊技制御装置３０の右側壁に設けるようにしたが、第１〜第４開放規制部３５１〜３５４の位置はこれに限られるものではない。
即ち、例えば、図６及び図７に示すように、遊技制御装置３０の左側壁であって、当該遊技制御装置３０を起立状態とした際に第１演出制御装置３３の背面に設けられたＩＣタグ読取回路３３ｋと略対向するような位置に第１〜第４開放規制部２３５１〜２３５４を設けるようにしても良い。これにより、ＩＣタグ読取回路３３ｋから第１〜第４開放規制部２３５１〜２３５４までの距離を短くすることができ、第１〜第４開放規制部２３５１〜２３５４からの各種情報の読み取りをより好適に行うことができる。
【０１０４】
次に、遊技機１００の制御系について、図１４を参照して説明する。
遊技機１００は、例えば、図１４に示すように、その制御系として遊技の進行を制御する遊技制御装置（メイン制御装置）３０、この遊技制御装置３０の制御下で各種の演出に関する制御を行う第２演出制御装置（演出データ基板３２、ドライバ基板３５）３１、第１演出制御装置（サブ制御装置）３３、排出装置１９０による賞球または貸球の払い出しの制御と、発射装置６０による遊技球の発射の制御を行う排出発射制御装置３４、電力を供給する電源供給装置３７を備えている。
【０１０５】
遊技制御装置３０は、例えば、ＣＰＵ３０ｂ、ＲＡＭ３０ｃ、ＲＯＭ３０ｄ等を有する遊技用マイクロコンピュータを備えるとともに、図示しない入出力インタフェース、各種処理の同期やタイマ等のためのパルス信号を出力するクロック（発振器）等により構成されている。
【０１０６】
ＣＰＵ３０ｂは、例えば、制御部、演算部を備え、演算制御を行う他、特図変動表示ゲームの大当たり判定用乱数値などの各種乱数値なども生成している。
ＲＡＭ３０ｃは、例えば、始動入賞口１０および普通変動入賞装置３内に設けられた始動口センサ５０のオン信号などを記憶する記憶領域や、前記各種乱数値の記憶領域、並びに、ＣＰＵ３０ｂの作業領域等を備えている。
ＲＯＭ３０ｄには、例えば、遊技上の制御プログラムや制御データが書き込まれている他、上述の各種乱数値に対応して、特図変動表示ゲームの大当り発生を判定するための特図変動表示ゲームの大当り判定値、変動パターン（リーチアクションの種類）の判定値などが記憶されている。
【０１０７】
また、入出力インタフェースには、例えば、ローパスフィルタ及びバッファーゲートを介して、始動入賞口１０および普通変動入賞装置３の始動口センサ５０、大入賞口のカウントセンサ５１、一般入賞口２，２の一般入賞口センサ５２などが接続されており、これらからの各種信号が入力され、これら各種信号は、該入出力インタフェースにより中継されて、ＣＰＵ３０ｂに対し出力される。
【０１０８】
さらに、入出力インタフェースには、例えば、ＣＰＵ３０ｂから出力される各種の制御信号が入力され、これら制御信号は、該入出力インタフェースにより中継されて、図示しない出力ポート及びドライバを介して、特別変動入賞装置４の駆動手段としての各種開閉ソレノイド（例えば、大入賞口ＳＯＬ５３）、第１演出制御装置３３、賞球の排出や遊技球の発射を制御する排出発射制御装置３４などに出力されている。
【０１０９】
第２演出制御装置３１は、例えば、遊技機固有のデータを記憶するデータ装置として、演出に関するデータを記憶したＲＯＭを備える演出データ基板３２と、遊技盤１に配設された電気的機器の駆動機能を有する演出駆動基板をなすドライバ基板３５とを有する。
【０１１０】
演出データ基板３２は、例えば、演出の制御内容を記憶した制御ＲＯＭ３２ｃ、画像や映像データが記憶されたキャラクタＲＯＭ３２ｂ、音データが記憶された音声データＲＯＭ３２ｄを備えている。
なお、この演出データ基板３２に備えられた各種ＲＯＭの記憶内容は、例えば、遊技機の機種に依存するものである。
【０１１１】
また、演出データ基板３２の制御ＲＯＭ３２ｃには、例えば、ＩＣタグ３７０のＩＤ情報を判断するための情報として当該ＩＤ情報と略同一の判定用ＩＤ情報が記憶されている。
これにより、遊技機１００のサブ制御機能のうち、演算機能を有する部分を前面枠１２０側に残すことができ、遊技盤１交換時に、演出データ基板３２のみを交換でき効率のよい構成とすることができる。
また、演出データ基板３２が遊技制御装置３０とともに遊技盤１に設置されているので、当該演出データ基板３２にＩＣタグ３７０の正当性を判断するための情報を記憶することで、遊技盤１の交換時に該情報の更新等が必要なくなって、遊技盤１を交換するだけで新たなＩＣタグ３７０の監視システムを構築することができる。つまり、例えば、第1演出制御装置３３に当該ＩＣタグ３７０の正当性を判断するための情報を記憶しておく場合に必要とされる遊技盤１交換時における当該情報の更新作業が必要なくなる。
【０１１２】
ドライバ基板３５は、例えば、ランプ・ＬＥＤ、装飾用役物（ソレノイド）などの遊技盤装飾装置５４を駆動する盤装飾ドライバ３５ａを備え、第１演出制御装置３３が遊技制御装置３０から受信した制御信号（演出コマンド）に基づいて（遊技制御装置３０の制御の下に）この盤装飾ドライバ３５ａを制御し、盤装飾を行うようになっている。
【０１１３】
第１演出制御装置３３は、例えば、制御装置としてのＣＰＵ３３ｂ、ＲＡＭ３３ｃや、表示ユニット１７０（液晶表示パネル１７５）における表示を制御する画像用メモリとしてのＲＡＭや、グラフィックプロセッサとしてのＶＤＰ（video display processor）３３ｄ、画像や映像データが記憶されたサブ画像ＲＯＭ３３ｅなどを含むビデオ回路、音の出力を制御する音声ＬＳＩ３３ｆ、音量を調節する音声ボリューム３３ｇを備えている。
また、第１演出制御装置３３は、例えば、前面枠１２０に設けられたランプ、ＬＥＤなどの前面枠１２０を装飾する枠装飾装置５７を駆動する枠装飾ドライバ３３ｈを備えている。さらに、第１演出制御装置３３には、例えば、表示ユニット１７０の液晶表示パネル１７５における表示状態を調節するための、輝度調節器３３ｉ、コントラスト調節器３３ｊが備えられている。
【０１１４】
また、第１演出制御装置３３は、例えば、図示しない入出力インタフェースを有し、この入出力インタフェースにはローパスフィルタ及びバッファーゲートを介して、遊技制御装置３０、第２演出制御装置３１の演出データ基板３２、遊技機の前面（例えば、上皿１５３の周囲）に設けられた遊技者が操作可能な演出用ボタン５９などが接続されており、これらからの各種信号が入力され、これら各種信号は、該入出力インタフェースにより中継されて、ＣＰＵ３３ｂに対し出力される。
なお、遊技制御装置３０から出力される制御信号（各種コマンドなど）は中継基板７３を介して第１演出制御装置３３に送信されるようになっている。
【０１１５】
さらに、入出力インタフェースには、例えば、ＣＰＵ３３ｂから出力される各種の制御信号が入力され、これら制御信号は、該入出力インタフェースにより中継されて、図示しない出力ポート及びドライバを介して、演出データ基板３２、液晶表示パネル１７５のバックライト５６、枠装飾装置５７（枠装飾ドライバ３３ｈを介して）などに出力されている。
なお、ＣＰＵ３３ｂから出力される制御信号のうち、画像の制御に関する制御信号は、例えば、ＣＰＵ３３ｂからＶＤＰ３３ｄに出力され、ＶＤＰ３３ｄから該制御信号に基づく画像データが液晶表示器５５に出力される。また、音声の制御に関する制御信号は、例えば、ＣＰＵ３３ｂから音声ＬＳＩ３３ｆに出力され、音声ＬＳＩ３３ｆから該制御信号に基づく音声データがスピーカ５８に出力される。
【０１１６】
そして、第１演出制御装置３３は、例えば、遊技制御装置３０から中継基板７３を介して受信した制御信号（演出コマンド）に基づいて（遊技制御装置３０の制御の下に）、枠装飾装置５７による枠装飾の制御、表示ユニット１７０に備えられる液晶表示パネル１７５（液晶表示器５５、バックライト５６）の制御、スピーカ５８による音の出力の制御を行う。さらに、第１演出制御装置３３は、例えば、遊技制御装置３０から中継基板７３を介して受信した制御信号（演出コマンド）に基づいて（遊技制御装置３０の制御の下に）ドライバ基板３５の盤装飾ドライバ３５ａを介して遊技盤装飾装置５４の制御を行う。
【０１１７】
また、第１演出制御装置３３には、例えば、遊技制御装置３０に搭載されたＩＣタグからＩＤ情報（固有識別情報）や固着情報を読み取るＩＣタグ読取回路３３ｋが搭載されている。
ＩＣタグ読取回路３３ｋは、例えば、図７に示すように、第１演出制御装置３３の背面の遊技制御装置配設部３３１に設けられ、第１演出制御装置３３のＣＰＵ３３ｂの制御下にて、電源投入時や所定時間毎などに第１〜第４開放規制部３５１〜３５４の各々のＩＣタグ３７０、…と順次情報通信して、所定のＩＣタグ３７０から送信されるＩＤ情報や固着情報等の遊技制御装置３０の正当性の判断に係る正当性判定情報を受信するようになっている。そして、ＩＣタグ読取回路３３ｋによる正当性判定情報の読取結果に基づいて、第１演出制御装置３３のＣＰＵ３３ｂが、正当性判断手段として、遊技制御装置３０の正当性を判断するようになっている（詳細後述）。
【０１１８】
また、ＩＣタグ読取回路３３ｋには、例えば、切断部３５１ａ〜３５４ａが切断されているか否かに係り、第１演出制御装置３３のＣＰＵ３３ｂによる切断・未切断並びに固着・未固着の判断を可能とする切断情報を入力するための切断情報入力部３３ｌが配設されている。
切断情報入力部３３ｌは、例えば、ディップスイッチ等で構成され、不正に操作されない場所に配設されている。そして、例えば、公的検査機関等による遊技機の検査に際しては、基板ボックス３２０を開放するために、切断部３５１ａ〜３５４ａの何れかを切断した場合には、当該切断部３５１ａ〜３５４ａが切断された情報が切断情報入力部３３ｌを介して入力されるようになっている。
【０１１９】
以下に、ＩＣタグ読取回路３３ｋによる正当性判定情報の読み取りについて、図１５及び図１６を参照して説明する。
なお、図１５及び図１６にあっては、第１開放規制部３５１の切断部３５１ａを切断し、基板ボックス３２０を開放して遊技制御基板３１０の検査を行った後に、第２重合部３５２ｂをワンウェイネジ３６１で固着した遊技制御装置３０に対し、ＩＣタグ読取回路３３ｋで各ＩＣタグ３７０、…からの正当性判定情報の取得を表している。
【０１２０】
図１５（１）に示すように、第１開放規制部３５１のＩＣタグ３７０は破壊されているので、ＩＣタグ読取回路３３ｋからの質問信号に対して、ＩＣタグ３７０からの応答はない。よって、図１６の収集番号１に示すように、第１開放規制部３５１に配したＩＣタグ３７０からはＩＤ情報も固着情報もＩＣタグ読取回路３３ｋへ返信されない。
【０１２１】
次いで、図１５（２）に示すように、第２開放規制部４０２のＩＣタグ３７０は、正常に機能しているとともに、ワンウェイネジ３６１によって第１、第２固着検知線３７４ａ、３７４ｂが導通している。そして、ＩＣタグ読取回路３３ｋからの質問信号に対して、ＩＣタグ３７０からＩＤ情報と固着情報が送信される。すなわち、図１６の収集番号２に示すように、第２開放規制部４０２に配したＩＣタグ３７０からはＩＤ情報として“Ａ００１２７５２”が、固着情報として“固着”がＩＣタグ読取回路３３ｋへ返信される。
【０１２２】
また、図１５（３）、（４）に示すように、第３開放規制部４０３及び第４開放規制部４０４のＩＣタグ３７０は、正常に機能しているとともに、第１、第２固着検知線３７４ａ、３７４ｂは非導通である。そして、ＩＣタグ読取回路３３ｋからの質問信号に対して、両方のＩＣタグ３７０からＩＤ情報と固着情報が送信される。即ち、図１６の収集番号３に示すように、第３開放規制部４０３に配したＩＣタグ３７０からはＩＤ情報として“Ａ００１２７５３”が、固着情報として“未固着”がＩＣタグ読取回路３３ｋへ返信され、図１６の収集番号４に示すように、第４開放規制部４０４に配したＩＣタグ３７０からはＩＤ情報として“Ａ００１２７５４”が、固着情報として“未固着”がＩＣタグ読取回路３３ｋへ返信される。
【０１２３】
これにより、第１演出制御装置３３のＣＰＵ３３ｂは、取得したＩＤ情報と制御ＲＯＭ３２ｃに記憶されている判定用ＩＤ情報とを比較して、遊技制御装置３０が正規なものか否かを判定することができ、当該遊技制御装置３０の正当性を判定することができる。
ここで、ＣＰＵ３３ｂによるＩＤ情報の判定は、例えば、ワンウェイネジ３６１により固着されている開放規制部に係るＩＤ情報のみに基づいて行われても良いし、取得した全ての開放規制部に係るＩＤ情報に基づいて行われても良い。
また、ＣＰＵ３３ｂは、基板ボックス３２０の第１〜第４開放規制部４０１〜４０４の状態として、切断・未切断、並びに固着・未固着を取得でき、不正に基板ボックス３２０が開放された形跡を的確に検出して、切断情報入力部３３ｌを介して入力された切断部３５１ａ〜３５４ａに係る切断情報と比較判定することにより、遊技制御装置３０の正当性を判断することができる。
【０１２４】
次に、第１演出制御装置３３のＣＰＵ３３ｂの制御下における不正監視処理について図１７を参照して説明する。
不正監視処理は、例えば、遊技機１００の電源投入時や規定時間毎に行われるようになっており、第１演出制御装置３３のＣＰＵ３３ｂは、不正監視処理の実行タイミングとなると（ステップＳ１；ＹＥＳ）、第１〜第４開放規制部３５１〜３５４の各々の切断部３５１ａ〜３５４ａの切断パターンが正常であるか否かを判定する（ステップＳ２）。具体的には、ＣＰＵ３３ｂは、ＩＣタグ読取回路３３ｋを制御して、第１〜第４開放規制部３５１〜３５４の各々のＩＣタグ３７０、…と順次通信して、質問信号に対する応答状況と切断情報入力部３３ｌを介して入力されている切断情報とを比較して、一致しているか否かを判定する。
【０１２５】
ステップＳ２で、切断パターンが正常であると判定されると（ステップＳ２；ＹＥＳ）、ＣＰＵ３３ｂは、第１〜第４開放規制部３５１〜３５４の各々の重合部３５１ｂ〜３５４ｂのワンウェイネジ３６１による固着パターンが正常であるか否かを判定する（ステップＳ３）。即ち、ＣＰＵ３３ｂは、第１〜第４開放規制部３５１〜３５４の各々のＩＣタグ３７０、…のうち、ＩＣタグ読取回路３３ｋによる質問信号に対して応答する未だ切断されていないＩＣタグ３７０の何れか一が固着情報として“固着”を返信したか否かを判定する。
【０１２６】
そして、ステップＳ３で、固着パターンが正常であると判定されると（ステップＳ３；ＹＥＳ）、ＣＰＵ３３ｂは、未だ切断されていないＩＣタグ３７０のＩＤ情報が正常であるか否かを判定する（ステップＳ４）。即ち、ＣＰＵ３３ｂは、第２演出制御装置３１の制御ＲＯＭ３２ｃから未だ切断されていないＩＣタグ３７０の判定用ＩＤ情報を取得して、当該判定用ＩＤ情報と、未だ切断されていないＩＣタグ３７０のＩＤ情報を比較して、一致しているか否かを判定する。
【０１２７】
一方、ステップＳ２で、切断パターンが正常ではないと判定されるか（ステップＳ２；ＮＯ）、或いは、ステップＳ３で、固着パターンが正常ではないと判定されるか（ステップＳ３；ＮＯ）、或いは、ステップＳ４で、ＩＤ情報が正常ではないと判定されると（ステップＳ４；ＮＯ）、ＣＰＵ３３ｂは、遊技制御装置の不正が行われたと判断して不正処理を実行する（ステップＳ５）。
ここで、不正処理としては、例えば、液晶表示器（例えば、変動表示装置も含む）５５やスピーカ５８から不正情報を報知したり、図示しない管理装置に不正情報を送信したり、遊技を停止させる処理が挙げられる。
【０１２８】
排出発射制御装置３４は、例えば、ＣＰＵ、ＲＡＭ、ＲＯＭ等を有するマイクロコンピュータを有し、遊技制御装置３０からの制御信号（賞球コマンド）や、球貸機（図示略）からの制御信号（球貸しコマンド）に基づいて所要数の遊技球（賞球、貸球）を排出装置１９０から排出させる制御を行う。
また、排出発射制御装置３４は、例えば、発射装置６０による遊技球の発射制御を行う。即ち、排出発射制御装置３４には、操作ハンドル１５６からの信号（操作ハンドル１５６に設けられたタッチセンサからの信号や、操作ハンドル１５６の回動角度を判断するための信号）が入力されるようになっており、この入力信号に基づいて、排出発射制御装置３４は、発射装置６０を作動、停止する制御や発射勢を調節する制御を行う。
【０１２９】
そして、上述の各制御基板や、遊技機１００に備えられた各装置には、例えば、前面枠本体１３０に設けられた電源供給装置３７（電源回路、電源基板）から電力が供給されるようになっている。
なお、第２演出制御装置３１への電源供給は、例えば、第１演出制御装置３３を介して行われるようになっている。
【０１３０】
これらの制御回路においては、例えば以下のような制御が行われる。
遊技制御装置３０のＣＰＵ３０ｂでは、例えば、始動入賞口１０および普通変動入賞装置３に備えられた始動口センサ５０からの遊技球の検出信号の入力に基づき、特図変動表示ゲームの大当たり判定用乱数値を抽出してＲＯＭ３０ｄに記憶されている判定値と比較し、特図変動表示ゲームの当たり外れを判定する処理を行う。
また、遊技制御装置３０のＣＰＵ３０ｂは、上記の他に変動パターンの判定を行う処理などを行い、これらの結果を含む制御信号を、中継基板７３を介して第１演出制御装置３３に出力する。
【０１３１】
第１演出制御装置３３及び第２演出制御装置３１は、遊技制御装置３０からの制御信号に基づき、表示ユニット１７０の液晶表示パネル１７５で特図変動表示ゲームに対応した表示ゲームを表示する処理や、スピーカ５８からの音の出力、ランプ、ＬＥＤ、演出装置２５などの遊技盤装飾装置５４を制御する処理、ランプ、ＬＥＤなどの枠装飾装置５７を制御する処理を行う。
そして、遊技制御装置３０のＣＰＵ３０ｂは、例えば、特図変動表示ゲームが大当たりであった場合に特別遊技状態を発生し、大入賞口ＳＯＬ５３により特別変動入賞装置４を動作する制御を行う。
【０１３２】
また、遊技制御装置３０のＣＰＵ３０ｂは、例えば、各種入賞口に設けられたセンサ（始動口センサ５０、カウントセンサ５１、一般入賞口センサ５２）から入力される遊技球の検出信号に基づき排出発射制御装置３４に制御信号を出力する。
排出発射制御装置３４は、例えば、制御信号の入力に基づき排出装置１９０を制御して所定数の遊技球が払い出されるようにする。また、排出発射制御装置３４は、例えば、操作ハンドル１５６の操作に基づく入力および操作ハンドル１５６に設けられた図示しないタッチセンサからの入力に基づき、発射装置６０を制御して遊技球が第１遊技領域１ａに発射されるようにする。
【０１３３】
以上のように、本実施形態の遊技機１００は、遊技の進行制御を行うとともに遊技盤１固有の遊技制御装置３０を備えた遊技機において、遊技制御装置３０は、電子部品が搭載された遊技制御基板３１０を、蓋部材３４０とベース部材３３０からなる基板ボックス３２０に収納して構成され、基板ボックス３２０は、蓋部材３４０とベース部材３３０が重合されワンウェイネジ３６１により分離困難に固着される重合部３５１ｂ〜３５４ｂを有し、当該基板ボックス３２０の開放を規制する第１〜第４開放規制部３５１〜３５４を備え、当該開放規制部３５１〜３５４に遊技制御装置３０の正当性を判断するための正当性判定情報を送信するＩＣタグ３７０が設けられ、ＩＣタグ３７０から正当性判定情報を読み取るＩＣタグ読取回路３３ｋと、当該ＩＣタグ読取回路３３ｋによる正当性判定情報の読取結果に基づいて、遊技制御装置３０の正当性を判断する第１演出制御装置３３とを備えている。
【０１３４】
従って、ＩＣタグ３７０から遊技制御装置３０の正当性を判断するための正当性判定情報のＩＣタグ読取回路３３ｋによる読取結果に基づいて、遊技制御装置３０の正当性を適正に判断することができ、これにより、基板ボックス３２０が不正に開放され、遊技制御装置３０に対する不正行為を確実かつ迅速に発見でき、不正行為の防止を図ることができる。
【０１３５】
また、第１〜第４開放規制部３５１〜３５４は、重合部３５１ｂ〜３５４ｂを選択的に固着可能に複数設けられ、複数の開放規制部３５１〜３５４の各々に、正当性判定情報として、各々異なるＩＤ情報を記憶したＩＣタグ３７０が設けられている。
【０１３６】
従って、重合部３５１ｂ〜３５４ｂを選択的に固着可能に基板ボックス３２０に複数設けるとともに、各々に異なるＩＤ情報を記憶したＩＣタグ３７０を設けたので、公的機関による検査にも何ら問題なく対応でき、また、検査後においても検査前と同様に遊技制御装置３０に対する監視を行うことができる。
【０１３７】
また、第１〜第４開放規制部３５１〜３５４には、当該基板ボックス３２０を開放する際に切断される切断部３５１ａ〜３５４ａが形成され、ＩＣタグ３７０は、切断部３５１ａ〜３５４ａが切断されると当該ＩＣタグ３７０の機能が不能になるように構成されている。
【０１３８】
従って、第１〜第４開放規制部３５１〜３５４に、基板ボックス３２０を開放する際に切断される切断部３５１ａ〜３５４ａを形成し、当該切断部３５１ａ〜３５４ａが切断された場合にはＩＣタグ３７０との通信不良等により不正行為が行われたことを検出できることとなり、切断部３５１ａ〜３５４ａの切断状態を確実に検出することができる。
【０１３９】
また、切断部３５１ａ〜３５４ａには、ＩＣタグ３７０のアンテナ３７２が設けられている。
【０１４０】
従って、切断部３５１ａ〜３５４ａにＩＣタグ３７０のアンテナ３７２を設けたので、切断部３５１ａ〜３５４ａを切断によりＩＣタグ３７０との通信不良を確実に実現でき、切断部３５１ａ〜３５４ａの切断状態を確実に検出することができる。
【０１４１】
また、遊技制御装置３０からの指令信号に基づいて、当該遊技機１００に備えられた電気部品の制御を行う第１演出制御装置３３を備え、第１演出制御装置３３に、ＩＣタグ読取回路３３ｋ及び正当性判断手段が設けられている。
【０１４２】
従って、第１演出制御装置３３でＩＣタグ３７０から正当性判定情報を読み取って、遊技制御装置３０の正当性を確実に監視して判断することができる。
【０１４３】
また、第１演出制御装置３３は、遊技盤１が装着される前面枠１２０側に配設される一方で、遊技制御装置３０は、遊技盤１の裏面に配設されるように構成されている。
【０１４４】
従って、第１演出制御装置３３は、遊技盤１が装着される前面枠１２０側に配設される一方、遊技制御装置３０は、遊技盤１の裏面に配設されるようにしたので、ＩＣタグ３７０の監視機能を前面枠１２０側に残すことができ、遊技盤１のみを交換する際に効率のよい構成とすることができる。
【０１４５】
また、遊技盤１固有の演出に関するデータを記憶する機能を有する演出データ基板３２が、第１演出制御装置３３とは別個に、遊技盤１の裏面に配設され、演出データ基板３２には、ＩＣタグ３７０のＩＤ情報を判断するための判定用ＩＤ情報が記憶されている。
【０１４６】
従って、演出データ基板３２を第１演出制御装置３３とは別個に設けるとともに、該演出データ基板３２を遊技盤１裏面に配設し、演出データ基板３２にＩＣタグ３７０のＩＤ情報を判断するための判定用ＩＤ情報を記憶するようにしたので、遊技機１００のサブ制御機能のうち、演算機能を有する部分を前面枠１２０側に残すことができ、遊技盤１交換時には第１演出制御装置３３全体を交換する必要がなく演出データ基板３２のみを交換でき効率のよい構成とすることができる。
また、演出データ基板３２が遊技制御装置３０とともに遊技盤１に設置されているので、当該演出データ基板３２にＩＣタグ３７０の正当性を判断するための情報を記憶することで、遊技盤１の交換時に該情報の更新等が必要なくなって、遊技盤１を交換するだけで新たなＩＣタグ３７０の監視システムを構築することができる。つまり、例えば、第1演出制御装置３３に当該ＩＣタグ３７０の正当性を判断するための情報を記憶しておく場合に必要とされる遊技盤１交換時における当該情報の更新作業が必要なくなる。
【０１４７】
また、遊技盤１の本体部を透光性合成樹脂で構成すると共に、該遊技盤１を着脱自在に装着する前面枠１２０の裏面側に裏機構枠１６０を設け、該裏機構枠１６０における遊技盤１の後方位置に表示ユニット１７０を配設することで、当該遊技機１００前方から遊技盤１を透かして画像表示を視認可能に構成され、裏機構枠１６０の下方部には、前後方向に貫通した開口部が形成され、遊技盤１の開口部に対応する箇所に、遊技制御装置３０が回動機構を介して配設され、遊技制御装置３０は、遊技盤１を前面枠１２０に対して着脱する際に、該遊技盤１と略平行な起立状態から、当該遊技制御装置３０が開口部に挿脱可能となる傾倒状態に、回動機構により変換可能に構成され、裏機構枠１６０の背面に、第１演出制御装置３３が配設され、遊技盤１を前面枠１２０に装着した後、遊技制御装置３０を起立状態に変換して固定すると、該遊技制御装置３０が裏機構枠１６０の背面の第１演出制御装置３３に重合するように構成されている。
【０１４８】
従って、遊技盤１の本体部を透光性合成樹脂で構成すると共に、該遊技盤１を着脱自在に装着する前面枠１２０の裏面側に裏機構枠１６０を設け、該裏機構枠１６０における遊技盤１の後方位置に表示ユニット１７０を配設することで、遊技機１００前方から遊技盤１を透かして画像表示を視認可能に構成し、裏機構枠１６０の下方部には、前後方向に貫通した開口部を形成し、遊技盤１は、開口部に対応する箇所に、遊技制御装置３０を回動機構を介して配設し、遊技制御装置３０は、遊技盤１を前面枠１２０に対して着脱する際に、遊技盤１と略平行な起立状態から、当該遊技制御装置３０が開口部に挿脱可能となる傾倒状態に、回動機構により変換可能に構成され、裏機構枠１６０の背面に第１演出制御装置３３を配設し、遊技盤１を前面枠１２０に装着した後、遊技制御装置３０を起立状態に変換して固定すると、該遊技制御装置３０が裏機構枠１６０背面の第１演出制御装置３３に重合するように構成したので、表示ユニット１７０を遊技盤１交換時にも前面枠１２０側に残すことができ、また、遊技制御装置３０をスペース的に限りのある遊技機１００裏面において効率よく設置することが可能となる。
さらに、遊技制御装置３０と第１演出制御装置３３を近い位置に配置することが可能となるので、ＩＣタグ３７０の通信を効率よく行うことができる。また、ＩＣタグ３７０との通信を極めて近い位置で行うように各制御装置の位置関係や遊技制御装置３０における重合部の位置を設定した場合には、通信の安定化の他、遊技制御装置３０が正規な位置にあるか否か正常に起立状態に変換しているかも監視することができる。
【０１４９】
また、重合部３５１ｂ〜３５４ｂがワンウェイネジ３６１により固着されているか否かを検出する固着検出手段を備え、ＩＣタグ３７０は、固着検出手段による検出結果に基づいて、重合部３５１ｂ〜３５４ｂが固着されているか否かに係る固着情報を送信するように構成されている。
【０１５０】
従って、ＩＣタグ３７０は、固着検出手段の検出に基づき重合部３５１ｂ〜３５４ｂが固着されているか否かを特定可能な固着情報を送信するようにしたので、重合部３５１ｂ〜３５４ｂが正常に固着されているか否かを監視することができ、固着ミス等を発見できる。
加えて、例えば、不正係員等により故意に重合部３５１ｂ〜３５４ｂを固着しない不正行為、即ち、固着しなければ後でＩＣタグ３７０に係わる機能を破壊しないでも基板ボックス３２０の開放を可能とさせる不正行為等も発見することができる。さらに、重合部３５１ｂ〜３５４ｂを複数設けた場合には、どの重合部が現在の検査対象であるかを確実に特定することができ、固着している重合部が検査対象となる正規な重合部であるか否かを発見することもできる。
【０１５１】
なお、本発明は、上記実施形態に限定されることなく、本発明の趣旨を逸脱しない範囲において、種々の改良並びに設計の変更を行っても良い。
例えば、上記実施形態では、第１演出制御装置３３に切断情報入力部３３ｌを設けて切断情報を入力するようにしたが、切断情報入力部３３ｌを設けるか否かは適宜変更可能となっている。即ち、切断情報入力部３３ｌを設けなくとも、例えば、リセットスイッチをＯＮしながら電源投入した場合に、最初に入力された固有識別情報、切断パターン、固着パターンを判定情報として記憶更新するような構成とすれば良い。これによって、例えば、公的機関による検査が行われた場合に、その後電源を投入する際にリセットスイッチをＯＮしながら投入する必要が生じるが、判定情報の更新が自動で行えるようになるので、面倒な作業を必要とせず、しかも更新忘れも発生しなくなる。
また、別の方法として、不正処理が行われている間に、リセットスイッチが所定時間ＯＮ操作された場合に、不正処理を終了して判定情報を更新するようにしてもよい。ここで、リセットスイッチをＯＮ操作する時間は、比較的長い時間（１０秒等）が望ましい。これは、営業中等で不正行為を行う不正者が、不正行為後にリセットスイッチをＯＮ操作することが考えられるからであり、短時間で行われる不正行為を防止するための対策である。また、不正処理が行われてから所定時間（例えば３０秒等）経過しなければ、リセットスイッチを有効としないように制御して、所定時間経過後にリセットスイッチをＯＮ操作（この場合のＯＮ操作時間は、時間の条件を設けなくてもよいし所定時間のＯＮ操作により有効となるようにしてもよい。）した場合に不正処理を終了し、判定情報を更新するようにしてもよい。これも営業中等に不正者が、不正行為後に電源を投入しすぐにリセットスイッチをＯＮ操作することが考えられるからである。この場合も上記と同様に判定情報を自動更新できるので、検査時等で便利である。なお、上記した各所定時間が経過した場合には、その旨を報知することが望ましい。
【０１５２】
さらに、第１演出制御装置３３及び第２演出制御装置３１の少なくとも何れか一方の基板ボックスは、かしめ固定を行うようにしてもよいし、第２演出制御装置３１は、かしめ固定の他、基板ボックス自体を裏機構枠１６０にかしめ固定するようにしてもよい。これにより、遊技制御装置３０を監視する機能を有する制御装置自体に対する不正行為も防止でき、より確実は不正対策とすることができる。
【０１５３】
また、切断情報入力部３３ｌは、不正に操作されないように、第１演出制御装置３３の基板ボックス内に設けられているが、第１演出制御装置３３の基板ボックスの裏面に開口部を形成し、その開口部に切断情報入力部３３ｌを臨ませるようにしてもよい。これにより、設定変更操作も基板ボックスを開放することなく容易に行える上、第１演出制御装置は裏機構枠１６０にネジ止めされていることから、短時間で不正行為を行うような不正者に操作されることも防止できる。
【０１５４】
＜変形例１＞
以下に、変形例１の遊技機について図１８（ａ）及び図１８（ｂ）を参照して説明する。
図１８（ａ）は、変形例１の遊技機に備わるＩＣタグ１３７０を示す図であり、図１８（ｂ）は、第１〜第３開放規制部の応答状況を説明するための図である。
なお、図１８（ｂ）にあっては、第４開放規制部の図示は省略している。
【０１５５】
変形例１の遊技機は、例えば、図１８（ａ）に示すように、ネジ挿通孔３７５を挟んで磁気検知素子であるホール素子３７６と永久磁石３７７が配置されたＩＣタグ１３７０を備え、ワンウェイネジ３６１が鉄等の強磁性体で形成されている。
なお、ホール素子３７６と永久磁石３７７の離隔距離やホール素子３７６の検知感度は、例えば、永久磁石３７７の磁界をホール素子３７６により検知できる程度に設定される。
【０１５６】
ＩＣタグ１３７０においては、例えば、ワンウェイネジ３６１が固着孔に締め付けられていないとき、永久磁石３７７による磁場をホール素子３７６で検知できるが、ワンウェイネジ３６１が固着孔に締め付けられてホール素子３７６と永久磁石３７７との間に強磁性体が介在すると、永久磁石３７７からホール素子３７６に作用する磁場の影響が低下するので、この状態を固着状態として検知できるのである。
【０１５７】
図１８（ｂ）に示すように、例えば、第１開放規制部３５１の切断部３５１ａを切断して基板ボックス３２０を開放して遊技制御基板３１０の検査を行った後に、第２開放規制部３５２をワンウェイネジ３６１で固着して第３，第４開放規制部３５３，３５４を未固着のまま残した遊技制御装置３０に対し、ＩＣタグ読取回路３３ｋで各ＩＣタグ１３７０、…から情報を取得することで、上述した図１６の取得情報構成図と略同様のＩＤ情報及び固着情報を取得することができる。
【０１５８】
＜変形例２＞
以下に、変形例２の遊技機について図１９を参照して説明する。
図１９は、変形例２の遊技機の第１〜第４開放規制部の応答状況を説明するための図である。
【０１５９】
上記実施形態及び変形例１にあっては、ＩＣタグ読取回路３３ｋによって正当性判定情報（ＩＤ情報）が取得されなかったＩＣタグ３７０，１３７０が配置されている開放規制部が切断されたものとみなすようにしたが、変形例２の遊技機は、例えば、図１９に示すように、切断状態検出手段を備えるＩＣタグ２３７０を備え、ＩＣタグ２３７０は開放規制部が切断されたか否かの切断情報をＩＣタグ読取回路３３ｋへ返信するようになっている。
【０１６０】
切断状態検出手段は、例えば、図１９に示すように、第１〜第４開放規制部３５１〜３５４の切断部３５１ａ〜３５４ａの全領域に亘って延出し、端部にて折り返した切断検知線２３７１の両端をＩＣ３７１に接続し、切断検知線２３７１が切断されているか否か、即ち、切断検知線２３７１が非導通であるか否かによって、第１〜第４開放規制部３５１〜３５４の切断部３５１ａ〜３５４ａの切断・未切断を検出するのである。
【０１６１】
図１９（１）に示すように、第１開放規制部３５１のＩＣタグ２３７０は、ワンウェイネジ３６１によって第１，第２固着検知線３７４ａ，３７４ｂが導通しているものの、切断検知線２３７１が切断されている。よって、ＩＣタグ読取回路３３ｋからの質問信号に対する第１開放規制部３５１のＩＣタグ２３７０からの応答は、ＩＤ情報が“Ａ００１２７５１”、固着情報が“固着”、切断情報が“切断”となる。このように、本構成例のＩＣタグ２３７０によれば、第１〜第４開放規制部３５１〜３５４が切断されても、ＩＣタグ自体は正常動作するので、切断状態検知手段により取得した切断情報をＩＣタグ読取回路３３ｋへ返信できるのである。
【０１６２】
次いで、図１９（２）に示すように、第２開放規制部３５２のＩＣタグ２３７０は、ワンウェイネジ３６１によって第１，第２固着検知線３７４ａ，３７４ｂが導通しているとともに、切断検知線２３７１は未切断である。よって、ＩＣタグ読取回路３３ｋからの質問信号に対する第２開放規制部３５２のＩＣタグ２３７０からの応答は、ＩＤ情報が“Ａ００１２７５２”、固着情報が“固着”、切断情報が“未切断”となる。
【０１６３】
また、図１９（３），（４）に示すように、第３開放規制部３５３及び第４開放規制部３５４のＩＣタグ２３７０は、第１，第２固着検知線３７４ａ，３７４ｂは非導通であるとともに、切断検知線２３７１は未切断である。よって、ＩＣタグ読取回路３３ｋからの質問信号に対する第３開放規制部３５３のＩＣタグ２３７０からの応答は、ＩＤ情報が“Ａ００１２７５３”、固着情報が“未固着”、切断情報が“未切断”となり、ＩＣタグ読取回路３３ｋからの質問信号に対する第４開放規制部３５４のＩＣタグ２３７０からの応答は、ＩＤ情報が“Ａ００１２７５４”、固着情報が“未固着”、切断情報が“未切断”となる。
【０１６４】
従って、変形例２の遊技機によれば、切断部３５１ａ〜３５４ａが切断されても、ＩＣタグ２３７０は、その通信機能が破壊されることがなくなり、ＩＣタグ読取回路３３ｋとの間でＩＤ情報、固着情報及び切断情報の通信を常に行うことができる。
【０１６５】
なお、変形例２の遊技機にあっては、切断部３５１ａ〜３５４ａが切断されても重合部３５１ｂ〜３５４ｂが基板ボックス本体から切り離されることなく残存するような構成となっている。
【０１６６】
＜変形例３＞
以下に、変形例３の遊技機について図２０を参照して説明する。
図２０は、変形例３の遊技機の第１〜第４開放規制部の応答状況を説明するための図である。
【０１６７】
変形例３の遊技機は、例えば、切断部３５１ａ〜３５４ａよりも基板ボックス本体側にＩＣ３７１及びアンテナ３７２が配設されたＩＣタグ３３７０を備え、当該基板ボックス３２０を開放する場合には、ワンウェイネジ３６１により固着された例えば第１開放規制部３５１の切断部３５１ａを切断することで重合部３５１ｂを基板ボックス３２０から切り離すようになっている。
なお、ＩＣタグ３３７０のＩＣ３７１及びアンテナ３７２の配置以外の構成については、変形例２と略同様であり、その説明は省略する。
【０１６８】
従って、変形例３の遊技機によれば、重合部３５１ｂが基板ボックス３２０から切り離される構成の第１〜第４開放規制部３５１〜３５４であっても、ＩＣ３７１及びアンテナ３７２は破壊されることなく基板ボックス３２０の本体側に配設された状態となるので、ＩＣタグ読取回路３３ｋとの間でＩＤ情報、固着情報、切断情報の通信を常に行うことができる。
【０１６９】
なお、本発明の遊技機１００は、上述の実施形態に示されるようなパチンコ遊技機１００に限られるものではなく、例えば、その他のパチンコ遊技機、アレンジボール遊技機、雀球遊技機などの遊技球を使用する全ての遊技機１００に適用可能である。
【０１７０】
また、上記実施形態では、ＩＣタグ３７０（１３７０、２３７０、３３７０）として、第１演出制御装置３３からの電磁誘導により電力供給を受ける構成のものを例示したが、これに限られるものではなく、例えば、電池内蔵のものであってもよい。
【０１７１】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【０１７２】
【図１】本発明を適用した一実施形態の遊技機を示す正面図である。
【図２】図１の遊技機のクリア部材保持枠を取り外した状態を示す正面図である。
【図３】図１の遊技機のクリア部材保持枠、遊技盤を取り外した状態の前面枠を前面側から見て示した斜視図である。
【図４】図１の遊技機を示す背面図である。
【図５】図１の遊技機に備わる遊技盤の背面図である。
【図６】本発明を適用した遊技機の一例を示す背面図である。
【図７】図６の遊技機の背面側から見て示した斜視図である。
【図８】図１の遊技機に備わる遊技機制御装置の前面側から視て示した斜視図である。
【図９】図８の遊技制御装置の分解斜視図である。
【図１０】図８の遊技制御装置に取り付けられるＩＣタグを示す図であり、（ａ）は概略平面図であり、（ｂ）は内部構造を模式的に示した図である。
【図１１】図８の遊技制御装置のベース部材におけるＩＣタグの配置状態を説明するための図である。
【図１２】図８の遊技制御装置のベース部材に蓋部材を封止する工程を説明するための断面図である。
【図１３】本発明を適用した遊技機に備わる遊技制御装置の一例を示す図である。
【図１４】図１の遊技機の制御系の一部を示すブロック図である。
【図１５】図１の遊技機の第１〜第４開放規制部の応答状況を説明するための図である。
【図１６】図１５の第１〜第４開放規制部と収集情報との対応関係を示す図である。
【図１７】図１の遊技機による不正監視処理に係る動作の一例を示すフローチャートである。
【図１８】変形例１の遊技機に備わるＩＣタグを示す図である。
【図１９】変形例２の遊技機の第１〜第４開放規制部の応答状況を説明するための図である。
【図２０】変形例３の遊技機の第１〜第４開放規制部の応答状況を説明するための図である。
【符号の説明】
【０１７３】
１００    遊技機
１        遊技盤
１ａ      第１遊技領域
１２０    前面枠
１６０    裏機構枠
３５１〜３５４  開放規制部
３５１ａ〜３５４ａ  切断部
３５１ｂ〜３５４ｂ  重合部
３０      遊技制御装置（メイン制御装置）
３１      第２演出制御装置
３２      演出データ基板（データ装置）
３１０    遊技制御基板
３２０    基板ボックス
３３０    ベース部材
３４０    蓋部材
３３      第１演出制御装置（サブ制御装置）
３３ｂ    ＣＰＵ（正当性判断手段）
３３ｋ    ＩＣタグ読取回路（読取手段）
３６１    ワンウェイネジ（固着手段）
３７０    ＩＣタグ
３７１    ＩＣチップ
３７２    アンテナ（通信部）
３７４ａ  第１固着検知線
３７４ｂ  第２固着検知線
【図１】
2008113812.tif 000003
【図２】
2008113812.tif 000004
【図３】
2008113812.tif 000005
【図４】
2008113812.tif 000006
【図５】
2008113812.tif 000007
【図６】
2008113812.tif 000008
【図７】
2008113812.tif 000009
【図８】
2008113812.tif 000010
【図９】
2008113812.tif 000011
【図１０】
2008113812.tif 000012
【図１１】
2008113812.tif 000013
【図１２】
2008113812.tif 000014
【図１３】
2008113812.tif 000015
【図１４】
2008113812.tif 000016
【図１５】
2008113812.tif 000017
【図１６】
2008113812.tif 000018
【図１７】
2008113812.tif 000019
【図１８】
2008113812.tif 000020
【図１９】
2008113812.tif 000021
【図２０】
2008113812.tif 000022